(57)【特許請求の範囲】
【請求項１】
フェムトノードの送信電力を較正するための方法であって、
フェムトノードから別のノードへの被サービスユーザ機器（ＵＥ）のハンドオーバを検出することと、
前記ハンドオーバを前記検出することに基づいて、複数の時間期間にわたって前記フェムトノードにおけるアップリンク受信信号強度インジケータ（ＲＳＳＩ）を測定することと、
前記複数の時間期間にわたって測定された前記アップリンクＲＳＳＩを比較することに基づいて、前記フェムトノードの送信電力を較正することと
を備える、方法。
【請求項２】
前記複数の時間期間が、少なくとも初期時間期間と後続の時間期間とを備える、請求項１に記載の方法。
【請求項３】
前記フェムトノードの前記送信電力を前記較正することは、前記後続の時間期間における前記アップリンクＲＳＳＩと前記初期時間期間における前記アップリンクＲＳＳＩとがしきい値差内にあることを判断することに基づく、請求項２に記載の方法。
【請求項４】
前記複数の時間期間の各時間期間における前記測定されたアップリンクＲＳＳＩが、前記時間期間にわたる平均またはフィルタ処理されたアップリンクＲＳＳＩ値に対応する、請求項１に記載の方法。
【請求項５】
フェムトノードの送信電力を較正するための装置であって、
フェムトノードから別のノードへの被サービスユーザ機器（ＵＥ）のハンドオーバを検出することと、
前記ハンドオーバを前記検出することに基づいて、複数の時間期間にわたって前記フェムトノードにおけるアップリンク受信信号強度インジケータ（ＲＳＳＩ）を測定することと、
前記複数の時間期間にわたって測定された前記アップリンクＲＳＳＩを比較することに基づいて、前記フェムトノードの送信電力を較正することと
を行うように構成された少なくとも１つのプロセッサと、
前記少なくとも１つのプロセッサに結合されたメモリと
を備える、装置。
【請求項６】
前記複数の時間期間が、少なくとも初期時間期間と後続の時間期間とを備え、前記少なくとも１つのプロセッサは、前記後続の時間期間における前記アップリンクＲＳＳＩと前記初期時間期間における前記アップリンクＲＳＳＩとがしきい値差内にあることを判断することに基づいて、前記フェムトノードの前記送信電力を較正する、請求項５に記載の装置。
【請求項７】
フェムトノードの送信電力を較正するための装置であって、
フェムトノードから別のノードへの被サービスユーザ機器（ＵＥ）のハンドオーバを検出するための手段と、
前記ハンドオーバを前記検出することに基づいて、複数の時間期間にわたって前記フェムトノードにおけるアップリンク受信信号強度インジケータ（ＲＳＳＩ）を測定するための手段と、
前記複数の時間期間にわたって測定された前記アップリンクＲＳＳＩを比較することに基づいて、前記フェムトノードの送信電力を較正するための手段と
を備える、装置。
【請求項８】
前記複数の時間期間が、少なくとも初期時間期間と後続の時間期間とを備え、前記較正するための手段は、前記後続の時間期間における前記アップリンクＲＳＳＩと前記初期時間期間における前記アップリンクＲＳＳＩとがしきい値差内にあることを判断することに基づいて、前記フェムトノードの前記送信電力を較正する、請求項７に記載の装置。
【請求項９】
フェムトノードの送信電力を較正するためのコンピュータプログラムであって、
少なくとも１つのコンピュータに、フェムトノードから別のノードへの被サービスユーザ機器（ＵＥ）のハンドオーバを検出させるためのコードと、
前記少なくとも１つのコンピュータに、前記ハンドオーバを前記検出することに基づいて、複数の時間期間にわたって前記フェムトノードにおけるアップリンク受信信号強度インジケータ（ＲＳＳＩ）を測定させるためのコードと、
前記少なくとも１つのコンピュータに、前記複数の時間期間にわたって測定された前記アップリンクＲＳＳＩを比較することに基づいて前記フェムトノードの送信電力を較正させるためのコードと
を備える、コンピュータプログラム。
【請求項１０】
前記複数の時間期間が、少なくとも初期時間期間と後続の時間期間とを備え、前記少なくとも１つのコンピュータに較正させるための前記コードは、前記後続の時間期間における前記アップリンクＲＳＳＩと前記初期時間期間における前記アップリンクＲＳＳＩとがしきい値差内にあることを判断することに基づいて、前記フェムトノードの前記送信電力を較正する、請求項９に記載のコンピュータプログラム。
【請求項１１】
フェムトノードの送信電力を較正するための装置であって、
フェムトノードから別のノードへの被サービスユーザ機器（ＵＥ）のハンドオーバを検出するためのＵＥモード判断コンポーネントと、
前記ハンドオーバを前記検出することに基づいて、複数の時間期間にわたって前記フェムトノードにおけるアップリンク受信信号強度インジケータ（ＲＳＳＩ）を測定するためのＲＳＳＩ測定コンポーネントと、
前記複数の時間期間にわたって測定された前記アップリンクＲＳＳＩを比較することに基づいて、前記フェムトノードの送信電力を較正するための電力較正コンポーネントと
を備える、装置。
【請求項１２】
前記複数の時間期間が、少なくとも初期時間期間と後続の時間期間とを備える、請求項１１に記載の装置。
【請求項１３】
前記電力較正コンポーネントは、前記後続の時間期間における前記アップリンクＲＳＳＩと前記初期時間期間における前記アップリンクＲＳＳＩとがしきい値差内にあることを判断することに基づいて、前記フェムトノードの前記送信電力を較正する、請求項１２に記載の装置。
【請求項１４】
前記複数の時間期間の各時間期間における前記測定されたアップリンクＲＳＳＩが、前記時間期間にわたる平均またはフィルタ処理されたアップリンクＲＳＳＩ値に対応する、請求項１１に記載の装置。
【発明の詳細な説明】
【米国特許法第１１９条に基づく優先権の主張】
【０００１】
本特許出願は、本出願の譲受人に譲渡され、参照により本明細書に明確に組み込まれる、２０１１年４月２１日に出願された「METHOD AND APPARATUS FOR ESTIMATING HOME USER USAGE AT FEMTOCELLS」と題する仮出願第６１／４７７，９４５号の優先権を主張する。
【技術分野】
【０００２】
以下の説明は、一般にワイヤレスネットワーク通信に関し、より詳細には、フェムトノードにおける使用を判断することに関する。
【背景技術】
【０００３】
ワイヤレス通信システムは、たとえば、ボイス、データなどの様々なタイプの通信コンテンツを提供するために広く展開されている。典型的なワイヤレス通信システムは、利用可能なシステムリソース（たとえば、帯域幅、送信電力、．．．）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。さらに、これらのシステムは、第３世代パートナーシッププロジェクト（３ＧＰＰ）（たとえば、３ＧＰＰ  ＬＴＥ（ロングタームエボリューション）／ＬＴＥ−Ａｄｖａｎｃｅｄ）、ウルトラモバイルブロードバンド（ＵＭＢ）、エボリューションデータオプティマイズド（ＥＶ−ＤＯ）などの仕様に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。
【０００５】
従来の基地局を補うために、追加の制限された基地局を展開して、よりロバストなワイヤレスカバレージをモバイルユニットに与え得る。たとえば、増分キャパシティの増大、よりリッチなユーザエクスペリエンス、屋内または他の特定の地理的カバレージなどのために、（たとえば、一般に、集合的にＨ（ｅ）ＮＢと呼ばれるホームノードＢまたはホームｅＮＢ、フェムトノード、ピコノードなどと呼ばれることがある）ワイヤレス中継局および低電力基地局が展開され得る。そのような低電力基地局は、モバイルオペレータのネットワークへのバックホールリンクを与えることができる、ブロードバンド接続（たとえば、デジタル加入者回線（ＤＳＬ）ルータ、ケーブルまたは他のモデムなど）を介してインターネットに接続され得る。したがって、たとえば、低電力基地局は、ブロードバンド接続を介して１つまたは複数のデバイスにモバイルネットワークアクセスを与えるためにユーザの自宅中に展開され得る。
【０００６】
そのような低電力基地局は、周囲無線周波数状態を感知すること、および／または測定報告を介して被サービスＵＥからチャネル状態を取得することに基づいて、電力を較正することができる。しかしながら、そのような電力較正は、他のノードまたはデバイスへの潜在的な干渉のみが考慮されるので、エリアの境界内の（たとえば、家庭またはオフィスの壁またはフロア内などの）所望のカバレージエリアを与えるなどのために、所望の方法で低電力基地局を動作させるのに十分でないことがある。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の態様およびそれの対応する開示によれば、本開示では、フェムトノードによってサービスされるデバイスのための使用パラメータを推論または測定することに部分的に基づいてフェムトノードの電力を較正することに関して、様々な態様について説明する。一例では、フェムトノードは、呼中にカバレージエリアを増大させることができ、デバイスによって受信されたチャネル状態報告に基づいてこの時間中に使用パラメータを判断することができる。別の例では、フェムトノードは、同様にカバレージエリアを増大させることができ、様々なデバイス（たとえば、被サービスデバイス、または非メンバーデバイス）から測定報告を収集することができ、非メンバーデバイスへの干渉を最小限に抑えながら被サービスデバイスのサポートを提供するために、送信電力を較正することができる。さらに別の例では、フェムトノードは、デバイスがフェムトノードの近傍を出つつあるのか、フェムトノードの近傍内であるがちょうどそれの範囲外にとどまっているのかを判断するために、デバイスのハンドオーバの後の受信された信号強度を評価することができる。フェムトノードは、この評価に基づいて送信電力を較正することができる。
【０００９】
一例によれば、フェムトノードの送信電力を較正するための方法が提供される。本方法は、持続時間の間、ベース送信電力（base transmit power）からフェムトノードの送信電力を増加させることと、持続時間中に１つまたは複数のユーザ機器（ＵＥ）から１つまたは複数の測定報告を受信することとを含む。本方法は、１つまたは複数の測定報告と増加させられた送信電力とに部分的に基づいて、フェムトノードのベース送信電力を較正することをさらに含む。
【００１０】
別の態様では、フェムトノードの送信電力を較正するための装置が提供される。本装置は、持続時間の間、ベース送信電力からフェムトノードの送信電力を増加させることと、持続時間中に１つまたは複数のＵＥから１つまたは複数の測定報告を受信することとを行うように構成された少なくとも１つのプロセッサを含む。少なくとも１つのプロセッサは、１つまたは複数の測定報告と増加させられた送信電力とに部分的に基づいて、フェムトノードのベース送信電力を較正するようにさらに構成される。本装置は、少なくとも１つのプロセッサに結合されたメモリをさらに含む。
【００１１】
さらに別の態様では、フェムトノードの送信電力を較正するための装置が提供される。本装置は、持続時間の間、ベース送信電力からフェムトノードの送信電力を増加させるための手段と、持続時間中に１つまたは複数のＵＥから１つまたは複数の測定報告を受信するための手段とを含む。本装置は、１つまたは複数の測定報告と増加させられた送信電力とに部分的に基づいて、フェムトノードのベース送信電力を較正するための手段をさらに含む。
【００１２】
さらに、別の態様では、少なくとも１つのコンピュータに、持続時間の間、ベース送信電力からフェムトノードの送信電力を増加させるためのコードを有する非一時的コンピュータ可読媒体を含む、フェムトノードの送信電力を較正するためのコンピュータプログラム製品が提供される。コンピュータ可読媒体は、少なくとも１つのコンピュータに、持続時間中に１つまたは複数のＵＥから１つまたは複数の測定報告を受信させるためのコードと、少なくとも１つのコンピュータに、１つまたは複数の測定報告と増加させられた送信電力とに部分的に基づいて、フェムトノードのベース送信電力を較正させるためのコードとをさらに含む。
【００１３】
その上、一態様では、持続時間の間、ベース送信電力からフェムトノードの送信電力を増加させるための電力調整コンポーネント（power adjusting component）と、持続時間中に１つまたは複数のＵＥから１つまたは複数の測定報告を受信するための測定報告受信コンポーネント（measurement report receiving component）とを含む、フェムトノードの送信電力を較正するための装置が提供される。本装置は、１つまたは複数の測定報告と増加させられた送信電力とに部分的に基づいて、フェムトノードのベース送信電力を較正するための電力較正コンポーネント（power calibrating component）をさらに含む。
【００１４】
一例によれば、フェムトノードの送信電力を較正するための方法が提供される。本方法は、フェムトノードから別のノードへの被サービスＵＥのハンドオーバを検出することと、ハンドオーバを検出することに基づいて、複数の時間期間にわたってフェムトノードにおけるアップリンク受信信号強度インジケータ（ＲＳＳＩ）を測定することとを含む。本方法は、複数の時間期間にわたって測定されたアップリンクＲＳＳＩを比較することに基づいて、フェムトノードの送信電力を較正することをさらに含む。
【００１５】
別の態様では、フェムトノードの送信電力を較正するための装置が提供される。本装置は、フェムトノードから別のノードへの被サービスＵＥのハンドオーバを検出することと、ハンドオーバを検出することに基づいて、複数の時間期間にわたってフェムトノードにおけるアップリンクＲＳＳＩを測定することとを行うように構成された少なくとも１つのプロセッサを含む。少なくとも１つのプロセッサは、複数の時間期間にわたって測定されたアップリンクＲＳＳＩを比較することに基づいてフェムトノードの送信電力を較正するようにさらに構成される。本装置は、少なくとも１つのプロセッサに結合されたメモリをさらに含む。
【００１６】
さらに別の態様では、フェムトノードの送信電力を較正するための装置が提供される。本装置は、フェムトノードから別のノードへの被サービスＵＥのハンドオーバを検出するための手段と、ハンドオーバを検出することに基づいて、複数の時間期間にわたってフェムトノードにおけるアップリンクＲＳＳＩを測定するための手段とを含む。本装置は、複数の時間期間にわたって測定されたアップリンクＲＳＳＩを比較することに基づいて、フェムトノードの送信電力を較正するための手段をさらに含む。
【００１７】
さらに、別の態様では、少なくとも１つのコンピュータに、フェムトノードから別のノードへの被サービスＵＥのハンドオーバを検出させるためのコードを有する非一時的コンピュータ可読媒体を含む、フェムトノードの送信電力を較正するためのコンピュータプログラム製品が提供される。コンピュータ可読媒体は、少なくとも１つのコンピュータに、ハンドオーバを検出することに基づいて、複数の時間期間にわたってフェムトノードにおけるアップリンクＲＳＳＩを測定させるためのコードと、少なくとも１つのコンピュータに、複数の時間期間にわたって測定されたアップリンクＲＳＳＩを比較することに基づいてフェムトノードの送信電力を較正させるためのコードとをさらに含む。
【００１８】
その上、一態様では、フェムトノードから別のノードへの被サービスＵＥのハンドオーバを検出するためのＵＥモード判断コンポーネント（UE mode determining component）を含む、フェムトノードの送信電力を較正するための装置が提供される。本装置は、ハンドオーバを検出することに基づいて、複数の時間期間にわたってフェムトノードにおけるアップリンクＲＳＳＩを測定するためのＲＳＳＩ測定コンポーネント（RSSI measuring component）と、複数の時間期間にわたって測定されたアップリンクＲＳＳＩを比較することに基づいて、フェムトノードの送信電力を較正するための電力較正コンポーネントとをさらに含む。
【００１９】
上記および関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【００２０】
添付の図面とともに以下に説明する開示する態様は、開示する態様を限定するためではなく、開示する態様を例示するために与えられ、同様の表示は同様の要素を示す。
【図面の簡単な説明】
【００２１】
【図１】構内(premises)で動作しているフェムトノードを使用してユーザ機器（ＵＥ）をサービスする例示的なワイヤレス通信システムのブロック図。
【図２】１つまたは複数の使用パラメータを監視することに基づいて構内にわたってフェムトノードのカバレージを拡張するための例示的なワイヤレス通信システムのブロック図。
【図３】フェムトノードが構内全体をカバーしていない、フェムトノードにおけるＵＥのための例示的な使用マップのブロック図。
【図４】フェムトノードが構内をカバーしている、フェムトノードにおけるＵＥのための例示的な使用マップのブロック図。
【図５】フェムトノードの電力を較正するための例示的な方法の一態様のフローチャート。
【図６】受信信号強度インジケータ（ＲＳＳＩ）測定値に基づいてフェムトノードの電力を較正するための例示的な方法の一態様のフローチャート。
【図７】ＵＥの通信モードの検出された切替えに基づいて送信電力を調整するための例示的な方法の一態様のフローチャート。
【図８】本明細書で説明する態様によるシステムのブロック図。
【図９】送信電力を一時的に増大させることに基づいてフェムトノードの電力を較正するシステムの一態様のブロック図。
【図１０】ＲＳＳＩ測定値に基づいてフェムトノードの電力を較正するシステムの一態様のブロック図。
【図１１】本明細書に記載する様々な態様による、ワイヤレス通信システムの一態様のブロック図。
【図１２】本明細書で説明する様々なシステムおよび方法と併せて採用され得るワイヤレスネットワーク環境の一態様の概略ブロック図。
【図１３】本明細書の態様が実装され得る、いくつかのデバイスをサポートするように構成された、例示的なワイヤレス通信システムを示す図。
【図１４】ネットワーク環境内でフェムトセルの展開を可能にするための例示的な通信システムの図。
【図１５】いくつかの定義されたトラッキングエリアを有するカバレージマップの一例を示す図。
【詳細な説明】
【００２２】
次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００２３】
本明細書でさらに説明するように、低電力基地局またはフェムトノードが、フェムトノードによってサービスされるユーザ機器（ＵＥ）に関する１つまたは複数の態様に少なくとも部分的に基づいて、送信電力を較正することができる。たとえば、カバレージが利用可能でないフェムトノードに関係する構内のエリアを検出するために、フェムトノードが、そのフェムトノードにおける１つまたは複数のＵＥの使用パターンを判断するか、または場合によっては推論することができる。フェムトノードは、そのようなエリアをカバーしようとしてそれの送信電力を較正することができる。エリアは、代表的なパラメータを観測することに部分的に基づいて推測され得る。一例では、フェムトノードは、そのようなパラメータを判断することを可能にするために、少なくともパイロットチャネル送信のために短期電力調整を適用することができる。たとえば、フェムトノードは、ＵＥがアクティブモードで動作するときに（たとえば、呼中に）、パイロットチャネル送信の電力を増加させることによって１つまたは複数のＵＥのためのカバレージエリアを拡張することができる。この例では、フェムトノードは、アクティブモードの期間中にＵＥから測定報告を受信することに少なくとも部分的に基づいて、ＵＥをサービスするための電力較正を判断することができる。たとえば、ＵＥがアクティブモードにある間に前のカバレージエリアの外部に移動した場合、フェムトノードは、送信電力が増加させられる間に受信した測定報告に基づいて、送信電力を較正することを判断することができる。
【００２４】
別の例では、フェムトノードは、周囲のＵＥから登録をさらにキャプチャするために、少なくともパイロット送信の送信電力を増加させることができる。この例では、フェムトノードは、非メンバーＵＥに実質的に干渉することなしに被サービスＵＥを適切にサービスするための送信電力を判断するために、通信モード（たとえば、アイドルまたはアクティブ）にかかわらず、被サービスＵＥおよび／または非メンバーＵＥから測定報告を取得することができる。さらに別の例では、フェムトノードは、前にサービスされたＵＥがフェムトノードカバレージから遠ざかるとき、アップリンク受信信号強度インジケータ（ＲＳＳＩ）を測定することができる。ＲＳＳＩ値は、ＵＥが断続的にマクロノードカバレージ中に入りつつあるかどうか、またはＵＥが、フェムトノードによってサービスされないが、フェムトノードカバレージが所望される構内のエリアの一部であり得るカバレージエリア中にあるかどうかを判断するために、様々な時点において測定され得る。そのような機構は、フェムトノードへのそれぞれのＵＥ使用を推定するために使用され、したがってフェムトノードとのＵＥ通信を改善するためのフェムトノード較正を改善するために使用され得る。
【００２５】
本明細書で参照する低電力基地局は、フェムトノード、ピコノード、マイクロノード、ホームノードＢまたはホーム発展型ノードＢ（Ｈ（ｅ）ＮＢ）、リレー、および／または他の低電力基地局を含むことができ、本明細書では、これらの用語のうちの１つを使用して呼ぶことがあるが、これらの用語の使用は、一般に低電力基地局を包含するものである。たとえば、低電力基地局は、ワイヤレスワイドエリアネットワーク（ＷＷＡＮ）に関連するマクロ基地局と比較して比較的低い電力で送信する。したがって、低電力基地局のカバレージエリアは、マクロ基地局のカバレージエリアよりも実質的に小さくなり得る。
【００２６】
本出願で使用する「コンポーネント」、「モジュール」、「システム」などの用語は、限定はしないが、ハードウェア、ファームウェア、ハードウェアとソフトウェアの組合せ、ソフトウェア、または実行中のソフトウェアなど、コンピュータ関係のエンティティを含むものとする。たとえば、コンポーネントは、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方がコンポーネントであり得る。１つまたは複数のコンポーネントがプロセスおよび／または実行スレッド内に常駐することができ、１つのコンポーネントが１つのコンピュータ上に配置され得、および／または２つ以上のコンピュータ間に分散され得る。さらに、これらのコンポーネントは、様々なデータ構造を記憶している様々なコンピュータ可読媒体から実行することができる。これらのコンポーネントは、信号を介して、ローカルシステム、分散システム内の別のコンポーネントと相互作用し、ならびに／あるいはインターネットなどのネットワーク上で他のシステムと相互作用する１つのコンポーネントからのデータのような、１つまたは複数のデータパケットを有する信号に従うことなどによって、ローカルプロセスおよび／またはリモートプロセスを介して通信し得る。
【００２７】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星フォン、コードレス電話、セッション開始プロトコル（ＳＩＰ）フォン、ワイヤレスローカルループ（ＷＬＬ）局、携帯情報端末（ＰＤＡ）、ワイヤレス接続機能を有するハンドヘルドデバイス、コンピューティングデバイス、タブレット、スマートブック、ネットブック、またはワイヤレスモデムに接続された他の処理デバイスなどであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００２８】
さらに、「または」という用語は、排他的な「または」ではなく、包括的な「または」を意味するものとする。すなわち、別段に規定されていない限り、または文脈から明らかでない限り、「ＸはＡまたはＢを使用する」という句は、自然包括的置換のいずれかを意味するものとする。すなわち、「ＸはＡまたはＢを使用する」という句は、次の例：ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段に規定されていない限り、または単数形を示すことが文脈から明らかでない限り、概して「１つまたは複数」を意味するものと解釈すべきである。
【００２９】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥ／ＬＴＥ−ＡｄｖａｎｃｅｄおよびＧＳＭは、「第３世代パートナーシッププロジェクト」（３ＧＰＰ）と称する団体からの文書に記載されている。さらに、ＣＤＭＡ２０００およびＵＭＢは、「第３世代パートナーシッププロジェクト２」（３ＧＰＰ２）と称する団体からの文書に記載されている。さらに、そのようなワイヤレス通信システムは、不対無資格スペクトル(unpaired unlicensed spectrums)、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００３０】
様々な態様または特徴が、いくつかのデバイス、コンポーネント、モジュールなどを含み得るシステムに関して提示される。様々なシステムは、追加のデバイス、コンポーネント、モジュールなどを含み得、および／または各図に関連して論じるデバイス、コンポーネント、モジュールなどのすべてを含まないことがあることを理解および諒解されたい。これらの手法の組合せも使用され得る。
【００３１】
図１を参照すると、ＵＥ使用に基づいてフェムトノードの電力を較正することを可能にする例示的なワイヤレス通信システム１００が示されている。システム１００は、１つまたは複数のＵＥにワイヤレスネットワークアクセスを与えるためのカバレージエリア１０４を実装する基地局１０２を備える。カバレージ１０４内のＵＥは、コアワイヤレスネットワーク（図示せず）へのアクセスを受信するために１つまたは複数のワイヤレス技術を使用して基地局１０２と通信することができる。基地局１０２は、マクロノード、フェムトノード、ピコノード、モバイル基地局、リレー、（たとえば、１つまたは複数のＵＥとピアツーピアまたはアドホックモードで通信している）ＵＥ、それの一部分、および／あるいは１つまたは複数のＵＥにワイヤレスネットワークアクセスを与えることができる実質的に任意のデバイスであり得る。さらに、システム１００は、構内１１０内のカバレージエリア１０８を与えるフェムトノード１０６を含む。たとえば、フェムトノード１０６は、フェムトノード１０６へのＵＥの制限付き関連付けに基づいて、ＵＥ１１２などの１つまたは複数のＵＥにワイヤレスネットワークアクセスを与える、Ｈ（ｅ）ＮＢなど、実質的に任意の低電力基地局であり得る。たとえば、制限付き関連付けは、ＵＥ１１２がそれのメンバーである、フェムトノード１０６によって与えられる限定加入者グループ(closed subscriber group)（ＣＳＧ）を含むことができる。その上、構内１１０は、ユーザの家庭、オフィスなど、または実質的に任意の有界物理的エリア(bounded physical area)などの構造を含むことができる。さらに、ＵＥ１１２は、モバイル端末、固定デバイス(stationary device)、モデム（または他のテザーデバイス(tethered device)）、それの一部分、および／あるいは基地局からワイヤレスネットワークアクセスを受信することができる実質的に任意のデバイスであり得る。
【００３２】
たとえば、図示のように、フェムトノード１０６のカバレージエリアは、構内１１０のすべてのエリアをカバーしないことがある。説明したように、現在の電力較正機構は、電力を較正するために感知された無線周波数（ＲＦ）状態を考慮し、構内１１０のカバレージに関するそのような欠陥は、そのような機構を使用することに起因し得る。この場合、ＵＥ１１２は、構内１１０の内部のフェムトノード１０６のカバレージエリア１０８内から、構内１１０内にあるがカバレージエリア１０８の外側に移動することができ、その場合、ＵＥ１１２は、ワイヤレスネットワークアクセスを受信するために、基地局１０２などの別の基地局に接続する。この挙動は、フェムトノード１０６について所望されないことがある。したがって、本明細書で説明するように、フェムトノード１０６は、ＵＥ１１２および／または他のＵＥについての通信を改善するためにカバレージエリア１０８を拡張すべきかどうかを判断するために、１つまたは複数のパラメータを観測することに基づいて、いくつかのシナリオにおけるフェムトノード１０６のＵＥ１１２または他のＵＥの使用を推定するか、または場合によっては推論することができる。
【００３３】
一例では、ＵＥ１１２がカバレージエリア１０８内にあり、別のＵＥとの呼（たとえば、ボイス呼、データ呼など）を確立するか、または場合によってはアクティブ通信モードで動作している場合、フェムトノード１０６は、拡張されたカバレージエリア中のＵＥ１１２をサービスするために、少なくともパイロットチャネルの送信電力を一時的に増加させることができる。たとえば、フェムトノード１０６は、固定増分、動的電力調整、送信電力の履歴に基づく調整などを使用して送信電力を増加させることができる。ＵＥ１１２は、拡張されたカバレージエリア中で呼中にチャネル状態の測定報告をフェムトノード１０６に通信することができる。したがって、フェムトノード１０６は、ＵＥ１１２がその中に存在し、測定報告を与えた構内１１０の他のエリア中にＵＥ１１２のためのカバレージを確保するために、測定報告に基づいて、少なくともアイドル通信モードの間、送信電力を較正することができる。たとえば、フェムトノード１０６は、ＵＥ１１２のためのカバレージを確保するために送信電力を増加させ、測定報告を使用して電力較正を計算することができ、測定報告は、ＵＥ１１２のハンドオーバを防ぐために最低測定値がしきい値を超えることを保証するのに必要な最低測定値と電力とを判断することを含むことができる。別の例では、フェムトノード１０６は、平均測定値が少なくともしきい値にとどまることを保証することなどのために、フェムトノード１０６の平均測定値を計算することと送信電力を選択することとに基づいて、送信電力を較正することができる。
【００３４】
別の例では、フェムトノード１０６は、ＵＥ１１２がアイドルモードにある間に送信電力を一時的に増加させることができ、ＵＥ１１２がカバレージエリア１０８の外部で動作している場合にＵＥ１１２から登録試みを受信し、ならびに送信電力の一時的増加によって生じた拡張されたカバレージエリアの範囲内にある他のＵＥから登録試みを受信することができる。さらに、登録試みは、ＵＥにおける、フェムトノード１０６および／または基地局１０２などの別の基地局の測定値を含む測定報告を含むことができる。この点について、フェムトノード１０６は、測定報告と、測定報告がそれから受信されたＵＥがフェムトノード１０６においてメンバー（たとえば、フェムトノード１０６によって与えられるＣＳＧのメンバー）であるかどうかとに基づいて、送信電力を較正することができる。たとえば、フェムトノード１０６は、ＵＥ１１２がカバレージエリア１０８の外側にあるが、拡張されたカバレージエリアの内側にある場合、ＵＥ１１２から受信した登録試みと測定報告とに基づいて送信電力を増加させることができる。さらに、フェムトノード１０６が、フェムトノード１０６における非メンバーＵＥである別のＵＥから登録試みと測定報告とを受信した場合、フェムトノード１０６は、（非メンバーＵＥからの測定報告に基づいて）非メンバーＵＥとの実質的な干渉を生じることなしに、ＵＥ１１２のための送信電力を較正することができる。
【００３５】
さらに別の例では、フェムトノード１０６は、ＵＥ１１２による（たとえば、基地局１０２への）ハンドアウトが、ＵＥ１１２が構内１１０を出つつあるか、またはカバレージエリア１０８の外部にある構内１１０内の異なるエリアに移動していることによって生じたかどうかを判断するために、ＵＥ１１２が呼中にあるときにアップリンク（ＵＬ）ＲＳＳＩまたは同様のメトリックを測定することができる。この例では、フェムトノード１０６は、ある時間期間にわたって、ＲＳＳＩが減少するかどうか、および／または減少の量を判断するために、基地局１０２へのＵＥ１１２のハンドオーバの後にＵＬ  ＲＳＳＩ報告を比較することができる。たとえば、構内１１０の外部に移動しているＵＥは、構内１１０上に残っているがカバレージエリア１０８の外部にあるＵＥとは対照的に、ＵＬ  ＲＳＳＩの着実な減少に相関することができる。この点について、フェムトノード１０６が、ＵＬ  ＲＳＳＩが着実に減少していないと判断した場合、フェムトノード１０６は、ＵＥ１１２にサービスを与えるためにカバレージエリア１０８を拡張するために、送信電力を較正することができる。いずれの場合も、フェムトノード１０６の送信電力は、構内１１０内のＵＥにとってより最適なカバレージを試みるように調整される。一例では、フェムトノード１０６は、ＵＥ１１２がサービスされるまで固定増分で、ＲＳＳＩ測定値に基づいて判断された１つまたは複数の増分などで、ＵＥ１１２をサービスするためにその送信電力を較正することができる。
【００３６】
図２を参照すると、フェムトノードの電力を調整することを可能にする例示的なワイヤレス通信システム２００が示されている。システム２００は、ワイヤレスネットワークへのアクセスを受信するためにフェムトノード２０４と通信するＵＥ２０２を備える。さらに、システム２００は、より大きいカバレージエリア中でワイヤレスネットワークへのアクセスを与えることができるマクロノード２０６を含むことができる。説明したように、フェムトノード２０４は、ユーザの家庭、オフィスなどにおける、Ｈ（ｅ）ＮＢなどのより小さいカバレージアクセスポイントであり得る。ＵＥ２０２は、説明したように、モバイル端末、固定端末、モデム（または他のテザーＵＥ）、それらの一部分などであり得る。
【００３７】
ＵＥ２０２は、場合によっては、測定報告を１つまたは複数の基地局に通信するための測定報告提供コンポーネント（measurement report providing component）２０８を備える。
【００３８】
フェムトノード２０４は、ＵＥに関する１つまたは複数の判断されたパラメータに少なくとも部分的に基づいてフェムトノード２０４のための送信電力較正を判断するための電力較正コンポーネント２１２と、フェムトノード２０４のＵＥ使用を判断するためのパラメータを観測するための使用推定コンポーネント（usage estimating component）２１４を含むことができる。使用推定コンポーネント２１４は、場合によっては、フェムトノード２０４の送信電力を調整するための電力調整コンポーネント２１６、フェムトノード２０４に接続されたＵＥの動作モードを判断するためのＵＥモード判断コンポーネント２１８、１つまたは複数のＵＥから登録要求を取得するためのＵＥ登録受信コンポーネント（UE registration receiving component）２２０、１つまたは複数のＵＥから測定報告を取得するための測定報告受信コンポーネント２２２、および／またはフェムトノード２０４におけるＵＬ  ＲＳＳＩ値を取得するためのＲＳＳＩ測定コンポーネント２２４など、そのようなパラメータを観測することを可能にするための１つまたは複数のコンポーネントを含むことができる。
【００３９】
一例によれば、ＵＥ２０２は、ワイヤレスネットワークアクセスを受信するためにフェムトノード２０４と通信することができる。しかしながら、フェムトノード２０４は、フェムトノード２０４が常駐する構内のいくつかのエリアを適切にカバーしないことがある。したがって、ＵＥ２０２は、フェムトノード２０４のカバレージの外部であるが依然として構内であるところに移動するときに、マクロノード２０６にハンドオーバすることができる。使用推定コンポーネント２１４は、上記で説明し、本明細書でさらに説明するように、１つまたは複数のパラメータを観測することに基づいてフェムトノード２０４のそのような使用を検出することを試みることができ、電力較正コンポーネント２１２は、したがって、構内のフェムトノード２０４のカバレージを拡張するためにフェムトノード２０４送信のための電力較正を判断することができる。
【００４０】
一例では、ＵＥモード判断コンポーネント２１８は（たとえば、ＵＥ２０２がフェムトノード２０４上で呼を受信したか、または開始した場合）ＵＥ２０２が、フェムトノード２０４とのアイドル通信モードからアクティブ通信モードに遷移したことを検出することができる。たとえば、これは、ＵＥ２０２から通信モード切替えのランダムアクセスプリアンブルまたは他の指示を受信すること、コアネットワークコンポーネントからＵＥ２０２についてのページを受信することなどを含むことができる。本明細書でアイドルモードとも呼ぶ、アイドル通信モードにあるＵＥは、ＵＥとの電力を温存するために基地局との他のリソースを終了することが、データリンクを使用していない間、基地局からページング信号を受信するためのリソースを保持することができる。本明細書でアイドルモードとも呼ぶ、アクティブ通信モードにあるＵＥは、データリンク通信を可能にするために、複数のリソースにわたってサービスされる。
【００４１】
この例では、電力調整コンポーネント２１６は、少なくともＵＥ２０２がアクティブモードにある間の時間期間中にパイロットチャネルの送信電力を増加させることを判断することができ、その結果、フェムトノード２０４におけるＵＥ２０２の通信を改善し、送信電力を較正するためにＵＥ２０２から測定報告を受信することができる。一例では、電力調整コンポーネント２１６は、ＵＥ２０２がアクティブ通信モードにある間、固定値（たとえば、１０デシベル（ｄＢ））、動的値、履歴送信電力に基づいて計算された値などだけフェムトノード２０４の送信電力を増加させることを判断することができる。
【００４２】
たとえば、電力調整コンポーネント２１６は、少なくともＵＥ２０２がアクティブ通信モードにある間、拡張されたカバレージエリアを与えるために、ベース送信電力からフェムトノード２０４の共通パイロットインジケータチャネル（ＣＰＩＣＨ）送信のための送信電力を増加させることができる。このＣＰＩＣＨ送信電力は、本明細書で説明する例示的な計算において、所与の時間期間ｔについてのＰ＿ＣＰＩＣＨ（ａｃｔｉｖｅ，ｔ）と呼ばれることがある。この時間中に、測定報告受信コンポーネント２２２は、ＵＥ２０２から測定報告を取得することができる。この例では、測定報告提供コンポーネント２０８は、フェムトノード２０４の信号強度または品質測定値を少なくとも含む測定報告を生成し、フェムトノード２０４に与える。これは、フェムトノード２０４からの要請に基づくか、または場合によってはフェムトノード２０４とアクティブモードで通信することに基づくタイマーまたは他のイベントに従うことができる。たとえば、電力調整コンポーネント２１６は、ＵＥモード判断コンポーネント２１８がアイドル通信モードに戻るＵＥ２０２の遷移を検出したときに送信電力を減少させることができることを諒解されたい。この送信電力は、Ｐ（ｉｄｌｅ）と呼ばれることがある。これは、本明細書で説明するように、ベース送信電力まで減少させること、および／または電力較正コンポーネント２１２によって計算された送信電力まで減少させることを含むことができる。さらに、フェムトノード２０４は、追加または代替として他のチャネルの送信電力を、ブロードキャストチャネルの電力などを含む、ＣＰＩＣＨ送信電力に変更することができることを諒解されたい。さらに、たとえば、そのようなチャネルの変更は、変更されたＣＰＩＣＨ送信電力に比例することができる。
【００４３】
一例では、測定報告提供コンポーネント２０８は、フェムトノード２０４が、増加した送信電力を使用している場合、アクティブモードにある間に周期測定報告をフェムトノード２０４に通信することができる。たとえば、測定報告は、ＵＥ２０２によって実行される信号強度または品質の測定値（たとえば、フェムトノード２０４、マクロノード２０６などの電力スペクトル密度に対するチップ当たりのエネルギーの比（Ｅｃ／Ｉｏ）、受信信号符号電力（ＲＳＣＰ）、経路損失など）とともに、ＵＥ２０２が信号をそこから受信することができる基地局のリストを含むことができる。一例では、測定報告は、ＵＥ２０２のためのハンドオーバを評価するために利用される測定報告と実質的に同様であり得る。
【００４４】
測定報告受信コンポーネント２２２は、測定報告を取得することができ、使用推定コンポーネント２１４は、測定報告に基づいてＵＥ２０２の１つまたは複数のパラメータを観測することを含む、ＵＥ２０２の使用パターンを判断することができる。これは、あるロケーションにおいてアクティブモード中にＵＥ２０２が経験する（たとえば、１つまたは複数の測定報告中で受信される）フェムトノード２０４からの信号の最小信号強度または品質を観測することを含むことができる。この点について、そのロケーションにおいてＵＥ２０２が経験する、フェムトノード２０４の判断された最小信号強度または品質が、フェムトノード２０４がベース送信電力で動作しているときに、ＵＥ２０２のハンドオーバを生じるしきい値を下回らないように、電力較正コンポーネント２１２はフェムトノード２０４のベース送信電力を較正することができる。較正されたベース送信電力は、上記で説明したようにＰ（ｉｄｌｅ）に対応することができ、したがって、フェムトノード２０４のカバレージエリアは、構内の追加のエリア中のＵＥ２０２をサービスするために、ＵＥ２０２のアイドル通信モード中にも拡張される。
【００４５】
特定の一例では、測定報告が、マクロノード２０６についてのＣＰＩＣＨ  ＲＳＣＰ測定値ＸｄＢとフェムトノード２０４のＲＳＣＰ測定値ＹｄＢとを含む場合、電力調整コンポーネント２１６は、電力較正を判断するためにフェムトノード２０４の送信電力を増加させる。次いで、ＵＥ２０２ロケーションにおいてマクロノード２０６へのＵＥ２０２のハンドオーバを回避するために送信電力を較正するために、電力較正コンポーネント２１２は、フェムトノード２０４のベース送信電力をＰ＿ｃｕｒｒｅｎｔ−Ｙ＋Ｘ＋ＲｅｐｏｒｔｉｎｇＲａｎｇｅ＋Ｈｙｓｔとして設定することができ、Ｐ＿ｃｕｒｒｅｎｔは増加された送信電力であり、ＲｅｐｏｒｔｉｎｇＲａｎｇｅおよびＨｙｓｔは、フェムトノード２０４におけるハンドオーバパラメータである。
【００４６】
たとえば、測定報告中で報告されるチャネル状態が良好である（たとえば、フェムトノード２０４の信号強度または品質が、マクロノード２０６の信号強度または品質よりも大きいしきい値差である）場合、使用推定コンポーネント２１４は、送信電力較正が、アイドルモードで通信しているときに、ＵＥ２０２がそのようなチャネル状態を経験することを可能にすることができることを判断することができる。電力較正コンポーネント２１２は、送信電力較正に従ってフェムトノード２０４のベース送信電力を較正し、フェムトノード２０４のカバレージエリアを効果的に拡張することができる。電力較正コンポーネント２１２は、送信電力を較正すべきかどうかを判断するときに、マクロノード２０６および／またはそれと通信している関係するＵＥに対して生じる可能な干渉のレベルをさらに考慮することができる（たとえば、電力較正コンポーネント２１２は、判断された干渉レベルに基づいて計算された較正を変更すること、判断された干渉に基づいて電力較正を中止することなどができる）ことを諒解されたい。
【００４７】
一例では、上記で説明したＵＥ２０２による使用を検出するための送信電力を増加させる際に、電力調整コンポーネント２１６は、アクティブ通信モードにあるＵＥ２０２のための電力調整値を、定数ｃ１に基づく固定調整値として判断することができ、定数ｃ１は、説明したように（たとえば、１０ｄＢ）、ハードコーディングされるか、構成されるか、または場合によってはワイヤレスネットワークから受信され得る。
【数１】
0006030204.tif 000002
【００４８】
別の例では、電力調整コンポーネント２１６は、ＵＥ２０２から受信した測定報告に少なくとも部分的に基づいて電力調整値を判断することができる。たとえば、電力調整コンポーネント２１６は、測定報告中で受信された最も強いマクロノード（たとえば、マクロノード２０６）の報告された信号強度を、フェムトノード２０４がマクロノードへのＵＥ２０２のハンドアウトをそこにおいて開始する、判断された経路損失エッジ測定値に加算することに少なくとも部分的に基づいて、送信電力調整値を計算することができる。
【数２】
0006030204.tif 000003
【００４９】
ＲＳＣＰ＿ｓｔｒｏｎｇｅｓｔ＿ｍａｃｒｏは、ＵＥ２０２から１つまたは複数の測定報告中で受信された、マクロノード２０６におけるパイロット信号強度であり、ＰＬ＿ｈａｎｄｏｕｔ＿ｅｄｇｅは、マクロノード２０６へのハンドアウトがそこにおいて行われる経路損失エッジであり、ｃ２は定数である。たとえば、電力調整コンポーネント２１６は、フェムトノード２０４の現在の送信電力またはアイドルモード送信電力、ＵＥ２０２から受信した１つまたは複数のパラメータ、ワイヤレスネットワーク上で受信された値などに基づいて経路損失エッジ測定値を判断する。別の例では、電力調整コンポーネント２１６は、次の式を使用してアクティブモードにあるＵＥのための送信電力調整値を判断することができる。
【数３】
0006030204.tif 000004
【００５０】
ＲＳＣＰ＿ｆｅｍｔｏは、ＵＥ２０２から１つまたは複数の測定報告中で受信されたフェムトノード２０４のパイロット信号強度であり、ｃ３は定数である。
【００５１】
さらに別の例では、電力調整コンポーネント２１６は、アクティブモードへの前の切替え中のＵＥ２０２からの履歴測定報告（historical measurement reports）に基づいて送信電力調整値を判断することができる。たとえば、電力調整コンポーネント２１６は、ある時間期間にわたって（たとえば、所与の日の間）受信された最も強いマクロノードの測定値（たとえば、信号強度または品質）のパーセンタイルに基づいて送信電力調整値を計算することができる。電力調整コンポーネント２１６は、この計算値を、上記で説明した経路損失エッジ測定値および／または定数に加算することができる。
【数４】
0006030204.tif 000005
【００５２】
パーセンタイルは、ある時間期間にわたる（たとえば、所与の日における）ｘパーセンタイル（たとえば、ｘ＝９５または何らかの他の値）である。いずれの場合も、電力調整コンポーネント２１６は、上記のうちの１つまたは複数に基づいてＣＰＩＣＨのための送信電力を設定することができる。使用される機構にかかわらず、上記で説明したＣＰＩＣＨ電力増加の期間中に、使用推定コンポーネント２１４は、フェムトノード２０４の全体的な送信電力を較正するために、受信した測定報告などの１つまたは複数のパラメータに基づいて、フェムトノード２０４におけるＵＥ２０２の使用を判断することができる。
【００５３】
別の例では、使用推定コンポーネント２１４は、フェムトノード２０４において、ＵＥ２０２および／または他のＵＥから受信したアイドルモード登録を観測することに少なくとも部分的に基づいて、フェムトノード２０４のＵＥ使用を推定することができる。この例では、電力調整コンポーネント２１６は、カバレージエリアを拡張するために、フェムトノード２０４において短い持続時間の間、（たとえば、ＣＰＩＣＨ送信のための）周期送信電力バーストを実現することができる。送信電力バーストは、短い持続時間の間、ベース送信電力からフェムトノード２０４パイロットチャネルの送信電力を増加させることに関係することができ、送信電力バーストは、様々な隣接ＵＥから測定報告を受信することを可能にするために大きい電力であり得る。たとえば、持続時間は、拡張された時間期間の間マクロノード２０６または他のノードまたはＵＥへの実質的な干渉を生じないように、ＵＥにおけるハンドオーバのための近隣基地局を評価することの間の（たとえば、分程度の）最小時間と同様であり得る。その上、一例では、電力調整コンポーネント２１６は、頻繁な使用の期間中にマクロノード２０６への実質的な干渉を生じないように、メンバーＵＥがフェムトノード２０４のカバレージ内にあることを予想される時間中に、および／または低いネットワークアクティビティの時間（たとえば、早朝の時間帯）中に送信電力を周期的に調整することができる。また、たとえば、電力調整コンポーネント２１６は、ベース送信電力を較正するために十分な測定報告が収集されること、１つまたは複数のメンバーＵＥがフェムトノード２０４によってサービスされることなどが行われるまで、ある時間期間（たとえば、日）にわたってパイロットチャネルのための送信電力を周期的に調整することを続けることができる。
【００５４】
一例では、電力調整コンポーネント２１６は、ある値だけＣＰＩＣＨのための送信電力を増加させること、一定の経路損失（たとえば、９０ｄｂ）を有するＵＥをキャプチャするために必要に応じて送信電力を増加させることなどができる。拡張されたカバレージエリアのための持続時間中に、ＵＥ登録受信コンポーネント２２０は、異なる基地局（たとえば、マクロノード２０６）からアイドルモードで再選択しているＵＥから、１つまたは複数の追加のＵＥ登録試みを取得することができる。一例では、登録試みは、ＵＥにおいて、フェムトノード２０４および／あるいはマクロノード２０６などの１つまたは複数のマクロノードの測定報告、あるいは少なくとも信号強度または品質測定値（たとえば、Ｅｃ／Ｉｏ、ＲＳＣＰ、経路損失など）を含むことができる。
【００５５】
たとえば、説明したように、フェムトノード２０４は、他のＵＥのアクセスを制限しながらＵＥ２０２と通信するために、制限付き関連付けを利用することができる。たとえば、フェムトノード２０４は、限定加入者グループ（ＣＳＧ）に関連する、限定またはハイブリッド通信モードを実装することができる。たとえば、ブロードキャストを受信しているＵＥが、フェムトノード２０４にアクセスすべきかどうかを判断することができるように、フェムトノード２０４は、ＣＳＧサポートおよびアクセスモードをブロードキャストすることができる。この例では、フェムトノード２０４に測定報告を送信している拡張カバレージエリア中のＵＥは、ＣＳＧへのアクセスが許されるかどうかをフェムトノードに示すことができる。別の例では、ＵＥ登録受信コンポーネント２２０および／または測定報告受信コンポーネント２２２は、登録試みまたは測定報告中でそれの識別子を受信することと、その識別子に基づいてワイヤレスネットワークからサブスクリプション情報を取得することとに基づいて、１つまたは複数のＵＥが、フェムトノード２０４にアクセスすることを許されたメンバーＵＥであるかどうかを判断することができる。
【００５６】
この例では、使用推定コンポーネント２１４は、フェムトノード２０４のＵＥ使用を判断するために測定報告を利用することができ、測定報告は、たとえば、数日にわたって受信され、フェムトノード２０４へのＵＥ２０２の経路損失を判断するために観測される。たとえば、判断された経路損失に基づいて送信電力を較正することは、フェムトノード２０４カバレージが所望されているが利用可能でない前のアイドル休止状態のロケーションをカバーすることを可能にすることができる。たとえば、使用推定コンポーネント２１４は、フェムトノード２０４のＣＳＧのメンバーである、ＵＥ２０２などの１つまたは複数のＵＥが、パイロットチャネルのための送信電力バースト中に登録したことを検出することができる。使用推定コンポーネント２１４は、フェムトノード２０４のための送信電力較正を計算するために、そのような登録および／または対応する測定報告を利用することができる。たとえば、電力較正コンポーネント２１２は、したがって、ＵＥ２０２などの１つまたは複数のメンバーＵＥをカバーするための送信電力バーストの後に、フェムトノード２０４のための送信電力を較正することができる。その上、説明したように、電力較正コンポーネント２１２は、送信電力較正を判断する際に非メンバーＵＥへの潜在的な干渉を考慮することができる。たとえば、電力較正コンポーネント２１２は、選択された送信電力較正が非メンバーＵＥに実質的に干渉しないことを保証するために、非メンバーＵＥから受信した測定報告を評価することができる。
【００５７】
たとえば、使用推定コンポーネント２１４は、（たとえば、マクロノード２０６の受信した測定信号強度に従って）フェムトノード２０４が現在のベース送信電力で動作するときにマクロノード２０６に有利である、ＵＥ２０２などのメンバーＵＥに適応するのに必要な送信電力較正を判断することができる。次いで、電力較正コンポーネント２１２は、マクロノード２０６のそれらの報告された測定値に基づいて、電力較正が１つまたは複数の非メンバーＵＥへの干渉を生じることになるかどうかを判断することができる。たとえば、電力較正コンポーネント２１２は、両方の目的を達成するために電力較正を判断することができる。電力較正コンポーネント２１２は、判断された電力較正に従ってフェムトノード２０４の送信電力を変更することができる。その上、一例では、フェムトノード２０４は、（たとえば、ノードの既知のロケーションを用いた三角測量を使用して）測定報告中で受信された、フェムトノード２０４、マクロノード２０６、および／または他のノードの受信信号測定値に基づいてＵＥ２０２のロケーションを推定することができる。
【００５８】
別の例では、使用推定コンポーネント２１４は、フェムトノード２０４におけるＵＬ  ＲＳＳＩに少なくとも部分的に基づいて、フェムトノード２０４のＵＥ２０２使用を推定することができる。この例では、使用推定コンポーネント２１４は、ある時間期間にわたって別の基地局へのＵＥ２０２のハンドオーバの後のＵＬ  ＲＳＳＩを比較することに少なくとも部分的に基づいて、フェムトノード２０４によってカバーされるべきエリア内にＵＥ２０２があるかどうかを推論することができる。たとえば、ＵＥモード判断コンポーネント２１８は、マクロノード２０６などの別の基地局への、ＵＥ２０２などの被サービスＵＥのハンドオーバ（たとえば、アクティブモードハンドアウト、アイドルモード再選択など）を検出することができる。この例では、ＲＳＳＩ測定コンポーネント２２４は、ハンドアウトまたは再選択の後のアップリンクＲＳＳＩを測定し始めることができ、それは、ハンドオーバ時に干渉レベルのログをキャプチャし、処理することを含むことができる。
【００５９】
たとえば、ＲＳＳＩ測定コンポーネント２２４は、ハンドアウト／再選択を検出したときの初期時間期間についての測定と、ハンドアウト／再選択の後の少なくとも１つの後続の時間期間についての測定とを行うことができる。測定は、時間期間にわたる１つまたは複数のサンプルの平均値、１つまたは複数のサンプルを表すフィルタ処理された値などを取得することを含むことができる。たとえば、後続の時間期間は、初期時間期間後の固定時点として判断されること、１つまたは複数の検出されたイベントに基づいて判断されることなどが可能である。使用推定コンポーネント２１４は、フェムトノード２０４の使用を判断するための測定値、あるいは使用および／またはＵＥ２０２をサービスするために送信電力較正を実行すべきかどうかを判断するための観測のための関係するパラメータを比較することができる。
【００６０】
たとえば、時間期間にわたって測定されたＵＬ  ＲＳＳＩが（たとえば、しきい値差内で）同様である場合、使用推定コンポーネント２１４は、ＵＥが、マクロノード２０６へのハンドオーバ以来フェムトノード２０４によってカバーされることを意図されたエリア内にあったことを推論することができ、したがって、ＵＥ２０２をサービスする送信電力を較正することを判断することができる。これは、ＵＥ２０２がサービスされるまでベース送信電力の固定増分増加によって、ＲＳＳＩに基づいて判断された較正によってなどで実現され得る。別の例では、後に測定されたＲＳＳＩが、初期の測定されたＲＳＳＩよりも低いしきい値差を超えた（および／または、時間とともに減少し続ける）場合、使用推定コンポーネント２１４は、ＵＥ２０２が、フェムトノード２０４によってカバーされることを意図されたエリア中にないと推論することができ、したがって、現在の送信電力を維持すること、送信電力を減少させることなどを行い、ＵＥ２０２がマクロノードカバレージ中で通信し続けることを可能にすることができる。電力較正コンポーネント２１２は、使用推定コンポーネント２１４によって判断された送信電力を較正することができる。
【００６１】
図３および図４に、フェムトノードにおける例示的なＵＥ使用マップと、フェムトノードにおける関連するＲＳＳＩ測定値とを示す。図３では、フェムトノード３０２が構内３０６にわたってカバレージエリア３０４を与える例示的な使用マップ３００が示されている。さらに、ＵＥが、カバレージエリア３０４内でフェムトノード３０２への接続を開始し、依然として構内３０６にある間にカバレージエリア３０４の外部に移動し、その結果、マクロノード（図示せず）にハンドオーバされる場合のＵＥの使用経路３０８が示されている。そのような使用は、説明したように、ＵＬ  ＲＳＳＩを分析することに部分的に基づいて検出され得る。３１０において、ＵＥ使用マップ３００に関係するフェムトノード３０２における時間によるＵＬ  ＲＳＳＩが示されている。３１４において、ＵＥは、カバレージエリア３０４を出た後にマクロノードにハンドオーバされる。ＵＬ  ＲＳＳＩは、ハンドオーバ時に、またはハンドオーバのすぐ後に開始する初期時間期間３１６にわたって、ならびに後続の時間期間３１８にわたって評価され得、時間期間３１８は、初期時間期間３１６の後の固定時間期間として定義されること、初期時間期間３１６中に遭遇した１つまたは複数のイベントに基づいて定義されることなどが可能である。図示のように、時間期間３１６および３１８にわたるＵＬ  ＲＳＳＩは同様であり、それは、時間期間３１８におけるＲＳＳＩが、少なくとも、時間期間３１６におけるＲＳＳＩよりも低いしきい値である場合とは反対に、ＵＥが、フェムトノード３０２によってカバーされることを意図されたエリア中の構内３０６内にあることを示すことができる。たとえば、ＲＳＳＩを測定することは、時間期間４１６および４１８にわたってＲＳＳＩの平均値またはフィルタ処理された値を測定することを含むことができる。
【００６２】
図４では、フェムトノード４０２が構内４０６全体にわたってカバレージエリア４０４を与える例示的な使用マップ４００が示されている。さらに、ＵＥが、カバレージエリア４０４内のフェムトノード４０２との接続を開始し、構内４０６の外部およびカバレージエリア４０４の外部に移動し、その結果、マクロノード（図示せず）にハンドオーバされる場合のＵＥの使用経路４０８が示されている。ＵＥが構内４０６の外部のエリアに移動していることは、ＵＬ  ＲＳＳＩを分析することに部分的に基づいて検出され得る。たとえば、ＵＥ使用マップ４００に関係する時間によるＵＬ  ＲＳＳＩは、４１０において示される。４１４において、ＵＥは、カバレージエリア４０４を出た後にマクロノードにハンドオーバされる。ＵＬ  ＲＳＳＩは、ハンドオーバ時に、またはハンドオーバのすぐ後に開始する初期時間期間４１６にわたって、ならびに後続の時間期間４１８にわたって評価され得、時間期間４１８は、初期時間期間４１６の後の固定時間期間として定義されること、初期時間期間４１６中に遭遇した１つまたは複数のイベントに基づいて定義されることなどが可能である。図示のように、時間期間４１８にわたるＵＬ  ＲＳＳＩは、時間期間４１６にわたるＵＬ  ＲＳＳＩよりも低く、それは、時間期間４１６および４１８中のＲＳＳＩが同様であり、ＵＥが、フェムトノード４０２によってカバーされることを意図されたエリア中にある場合とは反対に、ＵＥがカバレージエリア４０４の外部に移動することを示すことができる。一例では、時間期間４１８および４１６にわたるＵＬ  ＲＳＳＩは、前に説明したように、ＵＥがカバレージエリア４０４の外部に移動していることを検出した際に、その差が少なくともしきい値にあると判断するために比較され得る。たとえば、これは、時間期間４１６および４１８にわたってＲＳＳＩの平均値またはフィルタ処理された値を測定することを含むことができる。
【００６３】
図５〜図７に、１つまたは複数の意図されたＵＥをサービスするためにフェムトノードのカバレージエリアを拡張することに関係する例示的な方法を示す。説明を簡単にするために、方法を一連の行為として図示し説明するが、いくつかの行為は、１つまたは複数の実施形態によれば、本明細書で図示し説明する他の行為と同時に、および／または異なる順序で行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００６４】
図５に、１つまたは複数の意図されたＵＥをサービスするためにフェムトノードの電力を較正するための例示的な方法５００を示す。
【００６５】
５０２において、持続時間の間、ベース送信電力からフェムトノードの送信電力を増加させる。一例では、送信電力は、アイドル通信モードからアクティブ通信モードへのＵＥ切替えを検出することに基づいて増加させられ得、その場合、送信電力の増加が、ＵＥにおいてアクティブ通信モードの間持続することができる。この例では、送信電力は、固定値だけ、１つまたは複数のＵＥから受信した（少なくとも、フェムトノードの測定値および／あるいは１つまたは複数のＵＥの近傍の最も強いマクロノードの測定値を含む）１つまたは複数の測定報告に基づいて計算された動的値、１つまたは複数のＵＥから受信した（少なくとも、フェムトノードの測定値および／あるいは１つまたは複数のＵＥの近傍の最も強いマクロノードの測定値を含む）履歴測定報告に基づいて計算された値などだけ増加させられ得る。
【００６６】
別の例では、送信電力は、近傍のＵＥから登録要求をキャプチャするのに十分な持続時間の間、短い時間期間（バースト）にわたって周期的に増加させられる。たとえば、これは、分程度であり得、および／または再選択のためのセルを評価するためのＵＥにおける時間に相関することができる。さらに、バーストは、周囲のノードへの干渉が最小限に抑えられると予想される時間期間、および／またはメンバーＵＥが（たとえば、深夜または早朝の時間帯中に）フェムトノードの近傍にあると予想される時間期間中に行われ得る。その上、１つまたは複数のメンバーＵＥがフェムトノードによってサービスされると、送信電力を周期的に増加させることを停止することができる。
【００６７】
５０４において、持続時間中に１つまたは複数のＵＥから１つまたは複数の測定報告が受信され得る。たとえば、これは、送信電力の増加の結果であり得る。測定報告は、被サービスＵＥ（たとえば、アクティブモードに切り替えつつあるＵＥ）、持続時間中にフェムトノードによって干渉され得る非メンバーＵＥなどから受信され得る。さらに、説明したように、測定報告は、１つまたは複数の登録試み内で、あるいは１つまたは複数の登録試みに関してＵＥから受信され得る。
【００６８】
５０６において、１つまたは複数の測定報告と増加させられた送信電力とに部分的に基づいて、フェムトノードのベース送信電力が較正され得る。したがって、たとえば、測定報告がそこから受信される１つまたは複数の非メンバーＵＥへの干渉を緩和しながら、測定報告がそこから受信される１つまたは複数のメンバーＵＥにサービスすることを可能にするために電力較正が判断され得る。たとえば、メンバーＵＥにサービスする送信電力は、増加させられた送信電力と、ＵＥによって報告された対応する経路損失とに基づいて判断され得、同様に、１つまたは複数の非メンバーＵＥへの干渉を緩和する送信電力は、増加させられた送信電力と、非メンバーＵＥから受信した対応する測定報告とに基づいて判断され得る。説明したように、メンバーＵＥおよび非メンバーＵＥは、ＵＥからの測定報告または登録要求中の識別子、ワイヤレスネットワークから取得されたサブスクリプション情報、ＵＥがフェムトノードのＣＳＧにアクセスすることができるかどうかについてのＵＥからの指示などに基づいて識別され得る。
【００６９】
図６に、フェムトノードの送信電力を較正するための例示的な方法６００を示す。
【００７０】
６０２において、フェムトノードから別のノードへの被サービスＵＥのハンドオーバが検出され得る。これは、フェムトノードにおいて、フェムトノードがハンドオーバを実行させたことか、または場合によってはハンドオーバを実行するように命令されたことに基づいて検出され得る。
【００７１】
６０４において、ハンドオーバに基づいて複数の時間期間にわたってフェムトノードにおいてアップリンクＲＳＳＩが測定され得る。これは、ハンドオーバの後の初期時間期間と後続の時間期間とにわたって測定することを含むことができる。時間期間は、説明したように、ハンドオーバの後の固定時間としてフェムトノードにおいて行われる１つまたは複数のイベントなどによって、定義され得る。アップリンクＲＳＳＩは、フェムトノードにおいてログから測定され得、時間期間にわたって平均値またはフィルタ処理された値を測定することを含むことができる。
【００７２】
６０６において、複数の時間期間にわたって測定されたアップリンクＲＳＳＩを比較することに基づいて、フェムトノードの送信電力が較正され得る。たとえば、これは、時間期間にわたるＲＳＳＩが互いのしきい値差内にあるかどうかを判断することを含むことができる。しきい値差内にある場合、これは、ハンドオーバされた被サービスＵＥを含むために送信電力が較正されるべきであることを示すことができる。説明したように、ＲＳＳＩにおけるそのような挙動は、被サービスＵＥが、他のノードにハンドオーバされるにもかかわらずフェムトノードの近くに残っていることを示すことができる。この例では、送信電力は、固定値、被サービスＵＥからの測定報告に基づいて計算された値などに応じて送信電力を増加させることによって較正される。
【００７３】
図７に、それのカバレージエリアを拡張するためにフェムトノードの送信電力を増加させるための例示的な方法７００を示す。
【００７４】
７０２において、被サービスＵＥがアイドルからアクティブ通信モードに遷移したことを検出する。たとえば、これは、ＵＥから通信モード切替えのランダムアクセス要求または他の指示を受信すること、ワイヤレスネットワークコンポーネントからＵＥについてのページを受信することなどを含むことができる。
【００７５】
７０４において、ＵＥに信号を送信するための送信電力が増加させられ得る。これは、フェムトノードにおいてＵＥのためのカバレージを改善することができ、それにより、それの通信および／またはＵＥにおけるユーザエクスペリエンスを改善することができる。さらに、説明したように、アクティブ通信モード中にＵＥから測定報告を受信することは、フェムトノードのベース送信電力を較正することを可能にすることができる。一例では、送信電力は、ＵＥがアクティブ通信モードからアイドル通信モードに遷移した後のベース送信電力まで減少させられ得る。
【００７６】
本明細書で説明する１つまたは複数の態様によれば、説明したように、１つまたは複数の受信した測定報告に基づいてフェムトノードのための送信電力較正を判断すること、ＵＥの通信モード切替えを判断すること、ＵＥがアクティブ通信モードに切り替えるための送信電力調整値を判断することなどに関して、推測が行われ得ることを諒解されよう。本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定のコンテキストまたはアクションを識別するために採用され得、あるいは、たとえば、状態の確率分布を生成することができる。推論は、確率的、すなわち、データおよびイベントの考察に基づく当該の状態の確率分布の計算であり得る。推論は、イベントおよび／またはデータのセットからより高いレベルのイベントを構成するために採用される技法を指すこともある。そのような推論から、イベントが時間的に近接して(in close temporal proximity)相関するか否かにかかわらず、ならびにイベントおよびデータが１つまたは複数のイベントおよびデータソースに由来するかどうかにかかわらず、観測されたイベントおよび／または記憶されたイベントデータのセットから新しいイベントまたはアクションが構成される。
【００７７】
図８は、フェムトノードの送信電力を較正することを可能にするシステム８００の図である。システム８００は、（たとえば、複数のネットワーク技術であり得る）複数の受信アンテナ８０６を介して１つまたは複数のモバイルデバイスまたはｅＮＢ８０４から（１つまたは複数の）信号を受信する受信機８１０を有するｅＮＢ８０２と、（たとえば、複数のネットワーク技術であり得る）複数の送信アンテナ８０８を介して１つまたは複数のモバイルデバイスまたはｅＮＢ８０４に送信する送信機８４２とを含む。たとえば、ｅＮＢ８０２は、ｅＮＢ８０４から受信された信号を他のｅＮＢ８０４に送信することができ、および／またはその逆も同様である。受信機８１０は、１つまたは複数の受信アンテナ８０６から情報を受信することができ、受信された情報を復調する復調器８１２と動作可能に結合される。さらに、一例では、受信機８１０は、ワイヤードバックホールリンクから受信することができる。別々のアンテナとして示してあるが、受信アンテナ８０６の少なくとも１つ、および送信アンテナ８０８の対応する１つは、同じアンテナとして組み合わされ得ることを諒解されたい。本明細書に記載した１つまたは複数の態様の実施に関係する情報を記憶するメモリ８１６に結合されたプロセッサ８１４によって、復調されたシンボルが分析される。
【００７８】
プロセッサ８１４は、たとえば、受信機８１０によって受信された情報の分析および／または送信機８４２による送信のための情報の生成に専用のプロセッサ、ｅＮＢ８０２の１つまたは複数のコンポーネントを制御するプロセッサ、および／または受信機８１０によって受信された情報を分析し、送信機８４２による送信のための情報を生成し、ｅＮＢ８０２の１つまたは複数のコンポーネントを制御するプロセッサであり得る。さらに、プロセッサ８１４は、本明細書で説明する１つまたは複数の機能を実行することができ、および／またはそのような目的のためのコンポーネントと通信することができる。
【００７９】
メモリ８１６は、説明したように、プロセッサ８１４に動作可能に結合され、送信すべきデータ、受信されたデータ、利用可能なチャネルに関係する情報、分析された信号および／または干渉強度に関係するデータ、割り当てられたチャネル、電力、レートなどに関係する情報、ならびにチャネルを推定し、そのチャネルを介して通信するための他の適切な情報を記憶することができる。メモリ８１６は、さらに、ｅＮＢ８０２の送信電力を較正することに関連するプロトコルおよび／またはアルゴリズムを記憶することができる。
【００８０】
本明細書で説明するデータストア（たとえば、メモリ８１６）は、揮発性メモリまたは不揮発性メモリのいずれかであり得るか、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態において利用可能である。主題のシステムおよび方法のメモリ８１６は、これらおよび他の適切なタイプのメモリを、それらに限定されることなく、備えるものとする。
【００８１】
プロセッサ８１４は、さらに場合によっては、電力較正コンポーネント２１２と同様であり得る電力較正コンポーネント８１８、および／または使用推定コンポーネント２１４と同様であり得る使用推定コンポーネント８２０に結合され、それの１つまたは複数のさらなるコンポーネントを備えることができる。その上、たとえば、プロセッサ８１４は、変調器８４０を使用して送信されるべき信号を変調し、送信機８４２を使用して被変調信号を送信することができる。送信機８４２は、Ｔｘアンテナ８０８上で信号をモバイルデバイスまたはｅＮＢ８０４に送信することができる。さらにまた、プロセッサ８１４とは別個のものとして図示されているが、電力較正コンポーネント８１８、使用推定コンポーネント８２０、復調器８１２、および／または変調器８４０は、プロセッサ８１４または複数のプロセッサ（図示せず）の一部であり得、および／またはプロセッサ８１４が実行するためのメモリ８１６中の命令として記憶され得ることを諒解されたい。
【００８２】
図９に、フェムトノードの電力を較正するためのシステム９００を示す。たとえば、システム９００は、少なくとも部分的にフェムトノードまたは他の低電力基地局内に常駐することができる。システム９００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム９００は、連携して動作することができる電気的コンポーネントの論理グルーピング９０２を含む。たとえば、論理グルーピング９０２は、持続時間の間、ベース送信電力からフェムトノードの送信電力を増加させるための電気的コンポーネント９０４を含むことができる。説明したように、これは、検出された通信モード切替えに基づくことができ、および／または１つまたは複数のＵＥから登録試みを受信するために短い電力バーストに対応することができる。さらに、論理グルーピング９０２は、持続時間中に１つまたは複数のＵＥから１つまたは複数の測定報告を受信するための電気的コンポーネント９０６を含むことができる。
【００８３】
説明したように、測定報告は、フェムトノードおよび／または１つまたは複数の他のノードの信号強度または品質測定値を含むことができ、ならびに／あるいは１つまたは複数のＵＥから登録要求と併せて受信され得る。論理グルーピング９０２は、１つまたは複数の測定報告と増加させられた送信電力とに部分的に基づいて、フェムトノードのベース送信電力を較正するための電気的コンポーネント９０８をさらに含むことができる。その上、一例では、説明したように、送信電力は、測定報告または測定報告の履歴（または固定値）に基づいて電気的コンポーネント９０４によって増加させられ得る。
【００８４】
たとえば、電気的コンポーネント９０４は、上記で説明したように、電力調整コンポーネント２１６を含むことができる。さらに、たとえば、説明したように、電気的コンポーネント９０６は、一態様では、測定報告受信コンポーネント２２２を含むことができ、および／または電気的コンポーネント９０８は、電力較正コンポーネント２１２、使用推定コンポーネント２１４などを含むことができる。
【００８５】
さらに、システム９００は、電気的コンポーネント９０４、９０６、および９０８に関連する機能を実行するための命令を保持するメモリ９１０を含むことができる。メモリ９１０の外部にあるものとして示されているが、電気的コンポーネント９０４、９０６、および９０８のうちの１つまたは複数は、メモリ９１０の内部に存在することができることを理解されたい。その上、たとえば、電気的コンポーネント９０４、９０６、および９０８は、バス９１２によって相互接続され得る。一例では、電気的コンポーネント９０４、９０６、および９０８は、少なくとも１つのプロセッサを含むことができるか、または、各電気的コンポーネント９０４、９０６、および９０８は、少なくとも１つのプロセッサの対応するモジュールであり得る。さらに、追加または代替の例では、電気的コンポーネント９０４、９０６、および９０８は、コンピュータ可読媒体を備えるコンピュータプログラム製品であり得、各電気的コンポーネント９０４、９０６、および９０８は、対応するコードであり得る。
【００８６】
図１０に、フェムトノードの送信電力を較正するためのシステム１０００を示す。たとえば、システム１０００は、少なくとも部分的にフェムトノードまたは他の低電力基地局内に常駐することができる。システム１０００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム１０００は、連携して動作することができる電気的コンポーネントの論理グルーピング１００２を含む。たとえば、論理グルーピング１００２は、フェムトノードから別のノードへの被サービスＵＥのハンドオーバを検出するための電気的コンポーネント１００４を含むことができる。さらに、論理グルーピング１００２は、ハンドオーバを検出することに基づいて、複数の時間期間にわたってフェムトノードにおけるアップリンクＲＳＳＩを測定するための電気的コンポーネント１００６を含むことができる。
【００８７】
論理グルーピング１００２は、複数の時間期間にわたって測定されたアップリンクＲＳＳＩを比較することに基づいて、フェムトノードの送信電力を較正するための電気的コンポーネント１００８をさらに含むことができる。説明したように、これは、たとえば、ＲＳＳＩ測定値がしきい値差内にあるかどうかを判断することを含むことができ、それにより、フェムトノードにおけるベース送信電力を増加させることを示すことができる。
【００８８】
一例では、上記で説明したように、電気的コンポーネント１００４は、ＵＥモード判断コンポーネント２１８を含むことができる。さらに、たとえば、説明したように、電気的コンポーネント１００６は、一態様では、ＲＳＳＩ測定構成コンポーネント２２４を含むことができ、および／または電気的コンポーネント１００８は、電力較正コンポーネント２１２、使用推定コンポーネント２１４などを含むことができる。
【００８９】
さらに、システム１０００は、電気的コンポーネント１００４、１００６、および１００８に関連する機能を実行するための命令を保持するメモリ１０１０を含むことができる。メモリ１０１０の外部にあるものとして示されているが、電気的コンポーネント１００４、１００６、および１００８のうちの１つまたは複数は、メモリ１０１０の内部に存在することができることを理解されたい。その上、たとえば、電気的コンポーネント１００４、１００６、および１００８は、バス１０１２によって相互接続され得る。一例では、電気的コンポーネント１００４、１００６、および１００８は、少なくとも１つのプロセッサを含むことができるか、または、各電気的コンポーネント１００４、１００６、および１００８は、少なくとも１つのプロセッサの対応するモジュールであり得る。さらに、追加または代替の例では、電気的コンポーネント１００４、１００６、および１００８は、コンピュータ可読媒体を備えるコンピュータプログラム製品であり得、各電気的コンポーネント１００４、１００６、および１００８は、対応するコードであり得る。
【００９０】
図１１に、本明細書で提示する様々な実施形態によるワイヤレス通信システム１１００を示す。システム１１００は、複数のアンテナグループを含むことができる基地局１１０２を備える。たとえば、１つのアンテナグループはアンテナ１１０４および１１０６を含むことができ、別のグループはアンテナ１１０８および１１１０を備えることができ、さらなるグループはアンテナ１１１２および１１１４を含むことができる。アンテナグループごとに２つのアンテナが示されているが、グループごとにより多いまたはより少ないアンテナが利用され得る。基地局１１０２は、さらに、送信機チェーンおよび受信機チェーンを含むことができ、送信機チェーンおよび受信機チェーンの各々は、諒解されるように、同様に、信号送信および受信に関連する複数のコンポーネントまたはモジュール（たとえば、プロセッサ、変調器、マルチプレクサ、復調器、デマルチプレクサ、アンテナなど）を備えることができる。
【００９１】
基地局１１０２は、モバイルデバイス１１１６およびモバイルデバイス１１２２など、１つまたは複数のモバイルデバイスと通信することができるが、基地局１１０２は、モバイルデバイス１１１６および１１２２と同様の実質的にいかなる数のモバイルデバイスとも通信することができることを諒解されたい。モバイルデバイス１１１６および１１２２は、たとえば、セルラーフォン、スマートフォン、ラップトップ、ハンドヘルド通信デバイス、ハンドヘルドコンピューティングデバイス、衛星無線、全地球測位システム、ＰＤＡ、および／またはワイヤレス通信システム１１００を介して通信するための他の適切なデバイスであり得る。図示のように、モバイルデバイス１１１６は、アンテナ１１１２および１１１４と通信しており、アンテナ１１１２および１１１４は、順方向リンク１１１８を介して情報をモバイルデバイス１１１６に送信し、逆方向リンク１１２０を介してモバイルデバイス１１１６から情報を受信する。さらに、モバイルデバイス１１２２は、アンテナ１１０４および１１０６と通信しており、アンテナ１１０４および１１０６は、順方向リンク１１２４を介して情報をモバイルデバイス１１２２に送信し、逆方向リンク１１２６を介してモバイルデバイス１１２２から情報を受信する。周波数分割複信（ＦＤＤ）システムでは、たとえば、順方向リンク１１１８は、逆方向リンク１１２０によって使用される周波数帯域とは異なる周波数帯域を利用することができ、順方向リンク１１２４は、逆方向リンク１１２６によって採用される周波数帯域とは異なる周波数帯域を採用することができる。さらに、時分割複信（ＴＤＤ）システムでは、順方向リンク１１１８および逆方向リンク１１２０は共通の周波数帯を利用することができ、順方向リンク１１２４および逆方向リンク１１２６は共通の周波数帯を利用することができる。
【００９２】
アンテナの各グループおよび／またはそれらが通信するように指定されたエリアは、基地局１１０２のセクタと呼ばれることがある。たとえば、基地局１１０２によってカバーされるエリアのセクタ中のモバイルデバイスに通信するようにアンテナグループが設計され得る。順方向リンク１１１８および１１２４を介した通信では、基地局１１０２の送信アンテナは、モバイルデバイス１１１６および１１２２についての順方向リンク１１１８および１１２４の信号対雑音比を向上させるためにビームフォーミングを利用することができる。また、基地局１１０２が、関連するカバレージ中に不規則に散在するモバイルデバイス１１１６および１１２２に送信するためにビームフォーミングを利用する間は、基地局が単一のアンテナを介してその基地局のすべてのモバイルデバイスに送信する場合と比較して、隣接セル内のモバイルデバイスは干渉を受けにくいことがある。さらに、モバイルデバイス１１１６および１１２２は、図示のようにピアツーピアまたはアドホック技術を使用して互いに直接通信することができる。
【００９３】
図１２に、例示的なワイヤレス通信システム１２００を示す。ワイヤレス通信システム１２００には、簡潔のために、１つの基地局１２１０と、１つのモバイルデバイス１２５０とを示してある。ただし、システム１２００は、２つ以上の基地局および／または２つ以上のモバイルデバイスを含むことができ、追加の基地局および／またはモバイルデバイスは、以下で説明する例示的な基地局１２１０およびモバイルデバイス１２５０と実質的に同様または異なるものであり得ることを諒解されたい。その上、一例では、基地局１２１０は、前に説明した１つまたは複数のフェムトノードなどの低電力基地局であり得る。さらに、基地局１２１０および／またはモバイルデバイス１２５０は、それらの間のワイヤレス通信を可能にするために、本明細書で説明する例示的なシステム（図１、図２、および図８〜図１１）、使用マップ（図３および図４）、および／または方法（図５〜図７）を採用することができることを諒解されたい。たとえば、本明細書で説明するシステムおよび／または方法のコンポーネントまたは機能は、以下で説明するメモリ１２３２および／または１２７２あるいはプロセッサ１２３０および／または１２７０の一部であり得、ならびに／あるいは開示する機能を実行するためにプロセッサ１２３０および／または１２７０によって実行され得る。
【００９４】
基地局１２１０において、いくつかのデータストリームのトラフィックデータがデータソース１２１２から送信（ＴＸ）データプロセッサ１２１４に与えられる。一例によれば、各データストリームは、それぞれのアンテナを介して送信され得る。ＴＸデータプロセッサ１２１４は、トラフィックデータストリーム用に選択された特定のコーディング方式に基づいてそのデータストリームをフォーマットし、コーディングし、インタリーブして、コード化データを与える。
【００９５】
各データストリームのコード化データは、直交周波数分割多重化（ＯＦＤＭ）技法を使用してパイロットデータと多重化され得る。追加または代替として、パイロットシンボルは、周波数分割多重（ＦＤＭ）、時分割多重（ＴＤＭ）、または符号分割多重（ＣＤＭ）され得る。パイロットデータは、一般に、知られている方法で処理される既知のデータパターンであり、チャネル応答を推定するためにモバイルデバイス１２５０において使用され得る。各データストリームの多重化されたパイロットおよびコード化データは、そのデータストリーム用に選択された特定の変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータ速度、コーディング、および変調は、プロセッサ１２３０によって実行または与えられる命令によって判断され得る。
【００９６】
データストリームの変調シンボルはＴＸ  ＭＩＭＯプロセッサ１２２０に与えられ、ＴＸ  ＭＩＭＯプロセッサ１２２０は、（たとえば、ＯＦＤＭ用に）変調シンボルをさらに処理することができる。次いで、ＴＸ  ＭＩＭＯプロセッサ１２２０はＮT個の変調シンボルストリームをＮT個の送信機（ＴＭＴＲ）１２２２ａ〜１２２２ｔに与える。様々な実施形態では、ＴＸ  ＭＩＭＯプロセッサ１２２０は、データストリームのシンボルと、シンボルの送信元であるアンテナとにビームフォーミング重みを適用する。
【００９７】
各送信機１２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。さらに、送信機１２２２ａ〜１２２２ｔからのＮT個の被変調信号は、それぞれＮT個のアンテナ１２２４ａ〜１２２４ｔから送信される。
【００９８】
モバイルデバイス１２５０では、送信された被変調信号はＮR個のアンテナ１２５２ａ〜１２５２ｒによって受信され、各アンテナ１２５２からの受信信号は、それぞれの受信機（ＲＣＶＲ）１２５４ａ〜１２５４ｒに与えられる。各受信機１２５４は、それぞれの信号を調整（たとえば、フィルタ処理、増幅、およびダウンコンバート）し、調整された信号をデジタル化してサンプルを与え、さらに、それらのサンプルを処理して、対応する「受信された」シンボルストリームを与える。
【００９９】
ＲＸデータプロセッサ１２６０は、ＮR個の受信機１２５４からＮR個の受信シンボルストリームを受信し、特定の受信機処理技法に基づいて処理して、ＮT個の「検出された」シンボルストリームを与えることができる。ＲＸデータプロセッサ１２６０は、各検出シンボルストリームを復調し、デインタリーブし、復号して、データストリームのトラフィックデータを復元することができる。ＲＸデータプロセッサ１２６０による処理は、基地局１２１０においてＴＸ  ＭＩＭＯプロセッサ１２２０およびＴＸデータプロセッサ１２１４によって実行される処理を補足するものである。
【０１００】
逆方向リンクメッセージは、通信リンクおよび／または受信データストリームに関する様々なタイプの情報を備え得る。逆方向リンクメッセージは、データソース１２３６から複数のデータストリームのトラフィックデータをも受信するＴＸデータプロセッサ１２３８によって処理され、変調器１２８０によって変調され、送信機１２５４ａ〜１２５４ｒによって調整され、基地局１２１０に戻され得る。
【０１０１】
基地局１２１０において、モバイルデバイス１２５０からの被変調信号は、アンテナ１２２４によって受信され、受信機１２２２によって調整され、復調器１２４０によって復調され、ＲＸデータプロセッサ１２４２によって処理されて、モバイルデバイス１２５０によって送信された逆方向リンクメッセージが抽出される。さらに、プロセッサ１２３０は、抽出されたメッセージを処理して、ビームフォーミング重みを判断するためにどのプリコーディング行列を使用すべきかを判断することができる。
【０１０２】
プロセッサ１２３０および１２７０は、それぞれ基地局１２１０およびモバイルデバイス１２５０における動作を指示（たとえば、制御、調整、管理など）することができる。それぞれのプロセッサ１２３０および１２７０は、プログラムコードおよびデータを記憶するメモリ１２３２および１２７２に関連付けられ得る。たとえば、説明したように、プロセッサ１２３０および／または１２７０は、（たとえば、一時的に送信電力を増加させること、ハンドオーバの後のＵＬ  ＲＳＳＩを測定することなどに基づいて）フェムトノードの送信電力を較正することなど、本明細書で説明する機能および／またはコンポーネントに関係する命令を実行することができ、ならびに／あるいはメモリ１２３２および／または１２７２はそれらの命令を記憶することができる。
【０１０３】
図１３に、本明細書の教示が実装され得る、何人かのユーザをサポートするように構成されたワイヤレス通信システム１３００を示す。システム１３００は、たとえば、マクロセル１３０２Ａ〜１３０２Ｇなど、複数のセル１３０２の通信を可能にし、各セルは、対応するアクセスノード１３０４（たとえば、アクセスノード１３０４Ａ〜１３０４Ｇ）によってサービスされる。図１３に示すように、アクセス端末１３０６（たとえば、アクセス端末１３０６Ａ〜１３０６Ｌ）は、時間とともにシステム全体にわたって様々なロケーションに分散され得る。各アクセス端末１３０６は、たとえば、アクセス端末１３０６がアクティブかどうか、およびアクセス端末１３０６がソフトハンドオフ中かどうかに応じて、所与の瞬間に順方向リンク（ＦＬ）および／または逆方向リンク（ＲＬ）上で１つまたは複数のアクセスノード１３０４と通信することができる。ワイヤレス通信システム１３００は、広い地理的領域にわたってサービスを提供することができる。
【０１０４】
図１４に、１つまたは複数のフェムトノードがネットワーク環境内に展開された例示的な通信システム１４００を示す。特に、システム１４００は、比較的小規模のネットワーク環境中に（たとえば、１つまたは複数のユーザ住居１４３０中に）設置された複数のフェムトノード１４１０Ａおよび１４１０Ｂ（たとえば、フェムトセルノードまたはＨ（ｅ）ＮＢ）を含む。各フェムトノード１４１０は、デジタル加入者回線（ＤＳＬ）ルータ、ケーブルモデム、ワイヤレスリンク、または他の接続手段（図示せず）を介して、ワイドエリアネットワーク１４４０（たとえば、インターネット）とモバイルオペレータコアネットワーク１４５０とに結合され得る。以下で説明するように、各フェムトノード１４１０は、関連するアクセス端末１４２０（たとえば、アクセス端末１４２０Ａ）、および、随意に、エイリアン(alien)アクセス端末１４２０（たとえば、アクセス端末１４２０Ｂ）をサービスするように構成され得る。言い換えれば、フェムトノード１４１０へのアクセスは、所与のアクセス端末１４２０が、指定された（１つまたは複数の）（たとえば、ホーム）フェムトノード１４１０のセットによってサービスされ得るが、指定されていないフェムトノード１４１０（たとえば、ネイバーのフェムトノード）によってはサービスされ得ないように制限され得る。
【０１０５】
図１５に、いくつかのトラッキングエリア１５０２（またはルーティングエリアまたはロケーションエリア）が定義されたカバレージマップ１５００の例を示し、そのエリアの各々はいくつかのマクロカバレージエリア１５０４を含む。ここで、トラッキングエリア１５０２Ａ、１５０２Ｂ、および１５０２Ｃに関連するカバレージのエリアは太線によって示され、マクロカバレージエリア１５０４は六角形によって表される。トラッキングエリア１５０２はフェムトカバレージエリア１５０６をも含む。この例では、フェムトカバレージエリア１５０６（たとえば、フェムトカバレージエリア１５０６Ｃ）の各々は、マクロカバレージエリア１５０４（たとえば、マクロカバレージエリア１５０４Ｂ）内に示される。ただし、フェムトカバレージエリア１５０６は、完全にマクロカバレージエリア１５０４内にあるとは限らないことを諒解されたい。実際には、多数のフェムトカバレージエリア１５０６が所与のトラッキングエリア１５０２またはマクロカバレージエリア１５０４とともに定義され得る。また、１つまたは複数のピコカバレージエリア（図示せず）が所与のトラッキングエリア１５０２またはマクロカバレージエリア１５０４内に定義され得る。
【０１０６】
再び図１４を参照すると、フェムトノード１４１０の所有者は、たとえば、３Ｇモバイルサービスなど、モバイルオペレータコアネットワーク１４５０を介して提供されるモバイルサービスに加入することができる。さらに、アクセス端末１４２０は、マクロ環境と、より小規模の（たとえば、宅内）ネットワーク環境の両方で動作することが可能であり得る。したがって、たとえば、アクセス端末１４２０の現在のロケーションに応じて、アクセス端末１４２０は、アクセスノード１４６０によって、または、フェムトノード１４１０のセットのうちのいずれか１つ（たとえば、対応するユーザ住居１４３０内に常駐するフェムトノード１４１０Ａおよび１４１０Ｂ）によってサービスされ得る。たとえば、加入者は、自宅の外にいるときは標準のマクロセルアクセスノード（たとえば、ノード１４６０）によってサービスされ、自宅にいるときはフェムトノード（たとえば、ノード１４１０Ａ）によってサービスされる。ここで、フェムトノード１４１０は既存のアクセス端末１４２０と後方互換性があり得ることを諒解されたい。
【０１０７】
フェムトノード１４１０は、単一の周波数上に展開され、または代替として、複数の周波数上に展開され得る。特定の構成に応じて、単一の周波数、あるいは複数の周波数のうちの１つまたは複数は、マクロセルアクセスノード（たとえば、ノード１４６０）によって使用される１つまたは複数の周波数と重複することがある。いくつかの態様では、アクセス端末１４２０は、そのような接続性が可能であるときはいつでも、好ましいフェムトノード（たとえば、アクセス端末１４２０のホームフェムトノード）に接続するように構成され得る。たとえば、アクセス端末１４２０は、ユーザの住居１４３０内にあるときはいつでも、ホームフェムトノード１４１０と通信することができる。
【０１０８】
いくつかの態様では、アクセス端末１４２０がモバイルオペレータコアネットワーク１４５０内で動作しているが、（たとえば、好適なローミングリスト中で定義された）その最も好適なネットワーク上には存在していない場合、アクセス端末１４２０は、ベターシステムリセレクション（ＢＳＲ：Better System Reselection）を使用して、最も好適なネットワーク（たとえば、フェムトノード１４１０）を探索し続けることができ、ベターシステムリセレクションでは、利用可能なシステムの定期的なスキャンを行って、より良好なシステムが現在利用可能であるかどうかを判定し、その後、そのような好適なシステムと関連付けようとすることができる。（たとえば、好適ローミングリスト中の）取得テーブルエントリを使用して、一例では、アクセス端末１４２０は、特定の帯域およびチャネルについて探索を制限することができる。たとえば、最も好適なシステムの探索が周期的に繰り返され得る。フェムトノード１４１０など好適なフェムトノードが発見されると、アクセス端末１４２０は、そのカバレージエリア内にキャンプするためのフェムトノード１４１０を選択する。
【０１０９】
フェムトノードは、いくつかの態様では、制限され得る。たとえば、所与のフェムトノードが、いくつかのサービスをいくつかのアクセス端末のみに提供し得る。いわゆる制限（または限定）された関連付けを用いた展開では、所与のアクセス端末が、マクロセルモバイルネットワークと、フェムトノードの定義されたセット（たとえば、対応するユーザ住居１４３０内に常駐するフェムトノード１４１０）とのみによってサービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【０１１０】
いくつかの態様では、（限定加入者グループＨ（ｅ）ＮＢと呼ばれることもある）制限されたフェムトノードが、アクセス端末の制限されたプロビジョニングされたセットにサービスを提供するノードである。このセットは、必要に応じて一時的にまたは永続的に拡大され得る。いくつかの態様では、限定加入者グループ（ＣＳＧ）が、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【０１１１】
したがって、所与のフェムトノードと所与のアクセス端末との間に様々な関係が存在することがある。たとえば、アクセス端末の観点から、オープンフェムトノードが、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスするかまたはその上で動作することを一時的に許可されるフェムトノードを指すことがある。エイリアンフェムトノードは、おそらく非常事態（たとえば、９１１番）を除いて、アクセス端末がアクセスまたはその上で動作することを許可されない（たとえば、アクセス端末が非メンバーである）フェムトノードを指すことがある。
【０１１２】
制限されたフェムトノードの観点から、ホームアクセス端末は、制限されたフェムトノードへのアクセスを許可されるアクセス端末を指すことがある。ゲストアクセス端末は、制限されたフェムトノードへの一時的アクセスをもつアクセス端末を指すことがある。エイリアンアクセス端末は、おそらく非常事態、たとえば、９１１番を除いて、制限されたフェムトノードにアクセスする許可を有しないアクセス端末（たとえば、制限されたフェムトノードに登録するための証明書または許可を有しないアクセス端末）を指すことがある。
【０１１３】
便宜上、本明細書の開示では、フェムトノードのコンテキストで様々な機能について説明する。ただし、ピコノードは、フェムトノードと同じまたは同様の機能をより大きいカバレージエリアに提供することができることを諒解されたい。たとえば、所与のアクセス端末に対して、ピコノードを制限すること、ホームピコノードを定義することなどが行われ得る。
【０１１４】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力システム、ＭＩＭＯシステム、または何らかの他のタイプのシステムを介して確立され得る。
【０１１５】
本明細書で開示した実施形態に関して説明した様々な例示的なロジック、論理ブロック、モジュール、コンポーネント、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別コンポーネントとして常駐し得る。
【０１１６】
１つまたは複数の態様では、説明した機能、方法またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１１７】
上記の開示は、例示的な態様および／または実施形態について論じたが、添付の特許請求の範囲によって定義された説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［Ｃ１］フェムトノードの送信電力を較正するための方法であって、
持続時間の間、ベース送信電力からフェムトノードの送信電力を増加させることと、
前記持続時間の間に１つまたは複数のユーザ機器（ＵＥ）から１つまたは複数の測定報告を受信することと、
前記１つまたは複数の測定報告と前記増加させられた送信電力とに部分的に基づいて、前記フェムトノードの前記ベース送信電力を較正することと
を備える、方法。
［Ｃ２］前記フェムトノードによってサービスされる前記１つまたは複数のＵＥのうちの少なくとも１つのＵＥの、アイドル通信モードからアクティブ通信モードへの切替えを検出することをさらに備え、前記送信電力を前記増加させることが前記切替えに基づき、前記持続時間は、前記少なくとも１つのＵＥが前記アクティブ通信モードにある時間に対応する、［Ｃ１］に記載の方法。
［Ｃ３］前記送信電力を前記増加させることが、固定値だけ前記送信電力を増加させることを備える、［Ｃ２］に記載の方法。
［Ｃ４］前記送信電力を前記増加させることが、前記１つまたは複数の測定報告の少なくとも一部分に基づいて計算された動的値だけ前記送信電力を増加させることを備える、［Ｃ２］に記載の方法。
［Ｃ５］前記動的値が、前記少なくとも１つのＵＥによって受信された最も強いマクロノードの信号強度測定値に基づいて計算される、［Ｃ４］に記載の方法。
［Ｃ６］前記動的値は、前記最も強いマクロノードへのハンドオーバが行われる前記フェムトノードの経路損失エッジ測定値に基づいてさらに計算される、［Ｃ５］に記載の方法。
［Ｃ７］前記送信電力を前記増加させることは、前記少なくとも１つのＵＥによって通信モードで前の切替え中に受信された１つまたは複数の履歴測定報告に基づいて計算された動的値だけ、前記送信電力を増加させることを備える、［Ｃ２］に記載の方法。
［Ｃ８］前記動的値が、前記１つまたは複数の履歴測定報告中の最も強いマクロノードの測定値のパーセンタイルに基づいて計算される、［Ｃ７］に記載の方法。
［Ｃ９］前記アクティブ通信モードから前記アイドル通信モードへの前記少なくとも１つのＵＥの第２の切替えを検出することと、
前記第２の切替えに基づいて前記送信電力を前記ベース送信電力まで減少させることと
をさらに備える、［Ｃ２］に記載の方法。
［Ｃ１０］前記持続時間は、前記１つまたは複数のＵＥが前記フェムトノードへの登録を試みる最小時間に相関する、［Ｃ１］に記載の方法。
［Ｃ１１］前記ベース送信電力を前記較正することが、前記１つまたは複数の測定報告に示されている、前記１つまたは複数のＵＥから前記フェムトノードおよび／あるいは１つまたは複数のマクロノードへの経路損失に部分的に基づく、［Ｃ１０］に記載の方法。
［Ｃ１２］前記ベース送信電力を前記較正することは、前記フェムトノードによって生じる、前記１つまたは複数のＵＥの少なくとも一部分に対する干渉レベルが、しきい値を下回ることを確実にすることに部分的に基づく、［Ｃ１１］に記載の方法。
［Ｃ１３］送信電力を前記増加させることは、前記１つまたは複数のＵＥのうちの少なくとも１つが前記フェムトノードによってサービスされるまで周期的に実行される、［Ｃ１０］に記載の方法。
［Ｃ１４］フェムトノードの送信電力を較正するための装置であって、
持続時間の間、ベース送信電力からフェムトノードの送信電力を増加させることと、
前記持続時間の間に１つまたは複数のユーザ機器（ＵＥ）から１つまたは複数の測定報告を受信することと、
前記１つまたは複数の測定報告と前記増加させられた送信電力とに部分的に基づいて、前記フェムトノードの前記ベース送信電力を較正することと
を行うように構成された少なくとも１つのプロセッサと、
前記少なくとも１つのプロセッサに結合されたメモリと
を備える、装置。
［Ｃ１５］前記少なくとも１つのプロセッサが、前記フェムトノードによってサービスされる前記１つまたは複数のＵＥのうちの少なくとも１つのＵＥの、アイドル通信モードからアクティブ通信モードへの切替えを検出するようにさらに構成され、前記少なくとも１つのプロセッサが、前記切替えに基づいて前記送信電力を増加させ、前記持続時間は、前記少なくとも１つのＵＥが前記アクティブ通信モードにある時間に対応する、［Ｃ１４］に記載の装置。
［Ｃ１６］前記少なくとも１つのプロセッサが、固定値だけ前記送信電力を増加させる、［Ｃ１５］に記載の装置。
［Ｃ１７］前記少なくとも１つのプロセッサが、前記１つまたは複数の測定報告の少なくとも一部分に基づいて計算された動的値だけ前記送信電力を増加させる、［Ｃ１５］に記載の装置。
［Ｃ１８］前記少なくとも１つのプロセッサは、前記少なくとも１つのＵＥによって通信モードで前の切替え中に受信された１つまたは複数の履歴測定報告に基づいて計算された動的値だけ、前記送信電力を増加させる、［Ｃ１５］に記載の装置。
［Ｃ１９］前記持続時間は、前記１つまたは複数のＵＥが前記フェムトノードへの登録を試みる最小時間に相関する、［Ｃ１４］に記載の装置。
［Ｃ２０］前記少なくとも１つのプロセッサは、前記１つまたは複数の測定報告に示されている、前記１つまたは複数のＵＥから前記フェムトノードおよび／または１つまたは複数のマクロノードへの経路損失、あるいは、前記フェムトノードによって生じる、前記１つまたは複数のＵＥの少なくとも一部分に対する干渉レベルがしきい値を下回ることを確実にすることのうちの少なくとも１つに部分的に基づいて、前記ベース送信電力を較正する、［Ｃ１９］に記載の装置。
［Ｃ２１］フェムトノードの送信電力を較正するための装置であって、
持続時間の間、ベース送信電力からフェムトノードの送信電力を増加させるための手段と、
前記持続時間の間に１つまたは複数のユーザ機器（ＵＥ）から１つまたは複数の測定報告を受信するための手段と、
前記１つまたは複数の測定報告と前記増加させられた送信電力とに部分的に基づいて、前記フェムトノードの前記ベース送信電力を較正するための手段と
を備える装置。
［Ｃ２２］前記フェムトノードによってサービスされる前記１つまたは複数のＵＥのうちの少なくとも１つのＵＥの、アイドル通信モードからアクティブ通信モードへの切替えを検出するための手段をさらに備え、前記増加させるための手段が前記切替えに基づいて前記送信電力を増加させ、前記持続時間は、前記少なくとも１つのＵＥが前記アクティブ通信モードにある時間に対応する、［Ｃ２１］に記載の装置。
［Ｃ２３］前記増加させるための手段が、固定値だけ前記送信電力を増加させる、［Ｃ２２］に記載の装置。
［Ｃ２４］前記増加させるための手段が、前記１つまたは複数の測定報告の少なくとも一部分に基づいて計算された動的値だけ前記送信電力を増加させる、［Ｃ２２］に記載の装置。
［Ｃ２５］前記増加させるための手段は、前記少なくとも１つのＵＥによって通信モードで前の切替え中に受信された１つまたは複数の履歴測定報告に基づいて計算された動的値だけ、前記送信電力を増加させる、［Ｃ２２］に記載の装置。
［Ｃ２６］前記持続時間は、前記１つまたは複数のＵＥが前記フェムトノードへの登録を試みる最小時間に相関する、［Ｃ２１］に記載の装置。
［Ｃ２７］前記較正するための手段は、前記１つまたは複数の測定報告に示されている、前記１つまたは複数のＵＥから前記フェムトノードおよび／または１つまたは複数のマクロノードへの経路損失、あるいは前記フェムトノードによって生じる、前記１つまたは複数のＵＥの少なくとも一部分に対する干渉レベルがしきい値を下回ることを確実にすることのうちの少なくとも１つに部分的に基づいて、前記ベース送信電力を較正する、［Ｃ２６］に記載の装置。
［Ｃ２８］フェムトノードの送信電力を較正するためのコンピュータプログラム製品であって、
少なくとも１つのコンピュータに、持続時間の間、ベース送信電力からフェムトノードの送信電力を増加させるためのコードと、
前記少なくとも１つのコンピュータに、前記持続時間の間に１つまたは複数のユーザ機器（ＵＥ）から１つまたは複数の測定報告を受信させるためのコードと、
前記少なくとも１つのコンピュータに、前記１つまたは複数の測定報告と前記増加させられた送信電力とに部分的に基づいて、前記フェムトノードの前記ベース送信電力を較正させるためのコードと
を備える、非一時的コンピュータ可読媒体
を備える、コンピュータプログラム製品。
［Ｃ２９］前記コンピュータ可読媒体が、前記少なくとも１つのコンピュータに、前記フェムトノードによってサービスされる前記１つまたは複数のＵＥのうちの少なくとも１つのＵＥの、アイドル通信モードからアクティブ通信モードへの切替えを検出させるためのコードをさらに備え、前記少なくとも１つのコンピュータに増加させるための前記コードが、前記切替えに基づいて前記送信電力を増加させ、前記持続時間は、前記少なくとも１つのＵＥが前記アクティブ通信モードにある時間に対応する、［Ｃ２８］に記載のコンピュータプログラム製品。
［Ｃ３０］前記少なくとも１つのコンピュータに増加させるための前記コードが、固定値だけ前記送信電力を増加させる、［Ｃ２９］に記載のコンピュータプログラム製品。
［Ｃ３１］前記少なくとも１つのコンピュータに増加させるための前記コードが、前記１つまたは複数の測定報告の少なくとも一部分に基づいて計算された動的値だけ前記送信電力を増加させる、［Ｃ２９］に記載のコンピュータプログラム製品。
［Ｃ３２］前記少なくとも１つのコンピュータに増加させるための前記コードが、前記少なくとも１つのＵＥによって通信モードで前の切替え中に受信された１つまたは複数の履歴測定報告に基づいて計算された動的値だけ、前記送信電力を増加させる、［Ｃ２９］に記載のコンピュータプログラム製品。
［Ｃ３３］前記持続時間は、前記１つまたは複数のＵＥが前記フェムトノードへの登録を試みる最小時間に相関する、［Ｃ２８］に記載のコンピュータプログラム製品。
［Ｃ３４］前記少なくとも１つのコンピュータに較正させるための前記コードは、前記１つまたは複数の測定報告に示されている、前記１つまたは複数のＵＥから前記フェムトノードおよび／または１つまたは複数のマクロノードへの経路損失、あるいは前記フェムトノードによって生じる、前記１つまたは複数のＵＥの少なくとも一部分に対する干渉レベルがしきい値を下回ることを確実にすることのうちの少なくとも１つに部分的に基づいて、前記ベース送信電力を較正する、［Ｃ３３］に記載のコンピュータプログラム製品。
［Ｃ３５］フェムトノードの送信電力を較正するための装置であって、
持続時間の間、ベース送信電力からフェムトノードの送信電力を増加させるための電力調整コンポーネントと、
前記持続時間の間に１つまたは複数のユーザ機器（ＵＥ）から１つまたは複数の測定報告を受信するための測定報告受信コンポーネントと、
前記１つまたは複数の測定報告と前記増加させられた送信電力とに部分的に基づいて、前記フェムトノードの前記ベース送信電力を較正するための電力較正コンポーネントと
を備える、装置。
［Ｃ３６］前記フェムトノードによってサービスされる前記１つまたは複数のＵＥのうちの少なくとも１つのＵＥの、アイドル通信モードからアクティブ通信モードへの切替えを検出するためのＵＥモード判断コンポーネントをさらに備え、前記電力調整コンポーネントが前記切替えに基づいて前記送信電力を増加させ、前記持続時間は、前記少なくとも１つのＵＥが前記アクティブ通信モードにある時間に対応する、［Ｃ３５］に記載の装置。
［Ｃ３７］前記電力調整コンポーネントが固定値だけ前記送信電力を増加させる、［Ｃ３６］に記載の装置。
［Ｃ３８］前記電力調整コンポーネントが、前記１つまたは複数の測定報告の少なくとも一部分に基づいて計算された動的値だけ前記送信電力を増加させる、［Ｃ３６］に記載の装置。
［Ｃ３９］前記動的値が、前記少なくとも１つのＵＥによって受信された最も強いマクロノードの信号強度測定値に基づいて計算される、［Ｃ３８］に記載の装置。
［Ｃ４０］前記動的値は、前記最も強いマクロノードへのハンドオーバが行われる前記フェムトノードの経路損失エッジ測定値に基づいてさらに計算される、［Ｃ３９］に記載の装置。
［Ｃ４１］前記電力調整コンポーネントが、前記少なくとも１つのＵＥによって通信モードで前の切替え中に受信された１つまたは複数の履歴測定報告に基づいて計算された動的値だけ、前記送信電力を増加させる、［Ｃ３６］に記載の装置。
［Ｃ４２］前記動的値が、前記１つまたは複数の履歴測定報告中の最も強いマクロノードの測定値のパーセンタイルに基づいて計算される、［Ｃ４１］に記載の装置。
［Ｃ４３］前記ＵＥモード判断コンポーネントが、前記アクティブ通信モードから前記アイドル通信モードへの前記少なくとも１つのＵＥの第２の切替えを検出し、前記電力調整コンポーネントが、前記第２の切替えに基づいて前記送信電力を前記ベース送信電力まで減少させる、［Ｃ３６］に記載の装置。
［Ｃ４４］前記持続時間は、前記１つまたは複数のＵＥが前記フェムトノードへの登録を試みる最小時間に相関する、［Ｃ３５］に記載の装置。
［Ｃ４５］前記電力較正コンポーネントが、前記１つまたは複数の測定報告に示されている、前記１つまたは複数のＵＥから前記フェムトノードおよび／あるいは１つまたは複数のマクロノードへの経路損失に部分的に基づいて前記ベース送信電力を較正する、［Ｃ４４］に記載の装置。
［Ｃ４６］前記電力較正コンポーネントは、前記フェムトノードによって生じる、前記１つまたは複数のＵＥの少なくとも一部分に対する干渉レベルが、しきい値を下回ることを確実にすることに部分的に基づいて前記ベース送信電力を較正する、［Ｃ４５］に記載の装置。
［Ｃ４７］前記電力調整コンポーネントは、前記１つまたは複数のＵＥのうちの少なくとも１つが前記フェムトノードによってサービスされるまで、周期的に前記送信電力を増加させる、［Ｃ４４］に記載の装置。
［Ｃ４８］フェムトノードの送信電力を較正するための方法であって、
フェムトノードから別のノードへの被サービスユーザ機器（ＵＥ）のハンドオーバを検出することと、
前記ハンドオーバを前記検出することに基づいて、複数の時間期間にわたって前記フェムトノードにおけるアップリンク受信信号強度インジケータ（ＲＳＳＩ）を測定することと、
前記複数の時間期間にわたって測定された前記アップリンクＲＳＳＩを比較することに基づいて、前記フェムトノードの送信電力を較正することと
を備える、方法。
［Ｃ４９］前記複数の時間期間が、少なくとも初期時間期間と後続の時間期間とを備える、［Ｃ４８］に記載の方法。
［Ｃ５０］前記フェムトノードの前記送信電力を前記較正することは、前記後続の時間期間における前記アップリンクＲＳＳＩと前記初期時間期間における前記アップリンクＲＳＳＩとがしきい値差内にあることを判断することに基づく、［Ｃ４９］に記載の方法。
［Ｃ５１］前記複数の時間期間の各時間期間における前記測定されたアップリンクＲＳＳＩが、前記時間期間にわたる平均またはフィルタ処理されたアップリンクＲＳＳＩ値に対応する、［Ｃ４８］に記載の方法。
［Ｃ５２］フェムトノードの送信電力を較正するための装置であって、
フェムトノードから別のノードへの被サービスユーザ機器（ＵＥ）のハンドオーバを検出することと、
前記ハンドオーバを前記検出することに基づいて、複数の時間期間にわたって前記フェムトノードにおけるアップリンク受信信号強度インジケータ（ＲＳＳＩ）を測定することと、
前記複数の時間期間にわたって測定された前記アップリンクＲＳＳＩを比較することに基づいて、前記フェムトノードの送信電力を較正することと
を行うように構成された少なくとも１つのプロセッサと、
前記少なくとも１つのプロセッサに結合されたメモリと
を備える、装置。
［Ｃ５３］前記複数の時間期間が、少なくとも初期時間期間と後続の時間期間とを備え、前記少なくとも１つのプロセッサは、前記後続の時間期間における前記アップリンクＲＳＳＩと前記初期時間期間における前記アップリンクＲＳＳＩとがしきい値差内にあることを判断することに基づいて、前記フェムトノードの前記送信電力を較正する、［Ｃ５２］に記載の装置。
［Ｃ５４］フェムトノードの送信電力を較正するための装置であって、
フェムトノードから別のノードへの被サービスユーザ機器（ＵＥ）のハンドオーバを検出するための手段と、
前記ハンドオーバを前記検出することに基づいて、複数の時間期間にわたって前記フェムトノードにおけるアップリンク受信信号強度インジケータ（ＲＳＳＩ）を測定するための手段と、
前記複数の時間期間にわたって測定された前記アップリンクＲＳＳＩを比較することに基づいて、前記フェムトノードの送信電力を較正するための手段と
を備える、装置。
［Ｃ５５］前記複数の時間期間が、少なくとも初期時間期間と後続の時間期間とを備え、前記較正するための手段は、前記後続の時間期間における前記アップリンクＲＳＳＩと前記初期時間期間における前記アップリンクＲＳＳＩとがしきい値差内にあることを判断することに基づいて、前記フェムトノードの前記送信電力を較正する、［Ｃ５４］に記載の装置。
［Ｃ５６］フェムトノードの送信電力を較正するためのコンピュータプログラム製品であって、
少なくとも１つのコンピュータに、フェムトノードから別のノードへの被サービスユーザ機器（ＵＥ）のハンドオーバを検出させるためのコードと、
前記少なくとも１つのコンピュータに、前記ハンドオーバを前記検出することに基づいて、複数の時間期間にわたって前記フェムトノードにおけるアップリンク受信信号強度インジケータ（ＲＳＳＩ）を測定させるためのコードと、
前記少なくとも１つのコンピュータに、前記複数の時間期間にわたって測定された前記アップリンクＲＳＳＩを比較することに基づいて前記フェムトノードの送信電力を較正させるためのコードと
を備える、非一時的コンピュータ可読媒体
を備える、コンピュータプログラム製品。
［Ｃ５７］前記複数の時間期間が、少なくとも初期時間期間と後続の時間期間とを備え、前記少なくとも１つのコンピュータに較正させるための前記コードは、前記後続の時間期間における前記アップリンクＲＳＳＩと前記初期時間期間における前記アップリンクＲＳＳＩとがしきい値差内にあることを判断することに基づいて、前記フェムトノードの前記送信電力を較正する、［Ｃ５６］に記載のコンピュータプログラム製品。
［Ｃ５８］フェムトノードの送信電力を較正するための装置であって、
フェムトノードから別のノードへの被サービスユーザ機器（ＵＥ）のハンドオーバを検出するためのＵＥモード判断コンポーネントと、
前記ハンドオーバを前記検出することに基づいて、複数の時間期間にわたって前記フェムトノードにおけるアップリンク受信信号強度インジケータ（ＲＳＳＩ）を測定するためのＲＳＳＩ測定コンポーネントと、
前記複数の時間期間にわたって測定された前記アップリンクＲＳＳＩを比較することに基づいて、前記フェムトノードの送信電力を較正するための電力較正コンポーネントと
を備える、装置。
［Ｃ５９］前記複数の時間期間が、少なくとも初期時間期間と後続の時間期間とを備える、［Ｃ５８］に記載の装置。
［Ｃ６０］前記電力較正コンポーネントは、前記後続の時間期間における前記アップリンクＲＳＳＩと前記初期時間期間における前記アップリンクＲＳＳＩとがしきい値差内にあることを判断することに基づいて、前記フェムトノードの前記送信電力を較正する、［Ｃ５９］に記載の装置。
［Ｃ６１］前記複数の時間期間の各時間期間における前記測定されたアップリンクＲＳＳＩが、前記時間期間にわたる平均またはフィルタ処理されたアップリンクＲＳＳＩ値に対応する、［Ｃ５８］に記載の装置。
【図１】
0006030204.tif 000006
【図２】
0006030204.tif 000007
【図３】
0006030204.tif 000008
【図４】
0006030204.tif 000009
【図５】
0006030204.tif 000010
【図６】
0006030204.tif 000011
【図７】
0006030204.tif 000012
【図８】
0006030204.tif 000013
【図９】
0006030204.tif 000014
【図１０】
0006030204.tif 000015
【図１１】
0006030204.tif 000016
【図１２】
0006030204.tif 000017
【図１３】
0006030204.tif 000018
【図１４】
0006030204.tif 000019
【図１５】
0006030204.tif 000020